(57)【要約】【課題】安全性が高く、水への溶解性、分散性に優れ、潤滑性の良いオリゴマーエステル、並びに、これらオリゴマーエステルを含有する安全性、潤滑性、冷却性の良い水系・水溶性潤滑組成物、及び、これらオリゴマーエステルを含有するべたつき感が抑制された化粧品又は皮膚外用剤を提供する。【解決手段】次の成分（Ａ）及び（Ｂ）より合成されてなるオリゴマーエステルを用いる。（Ａ）炭素数２〜３６の直鎖、分岐鎖、若しくは環状構造を含む二価カルボン酸１種又は２種以上。（Ｂ）水酸基価から算出した平均重合度が２〜１５のポリグリセリン１種又は２種以上、及び、グリセリン。【選択図】なし【特許請求の範囲】
【請求項１】
次の成分（Ａ）及び（Ｂ）より合成されたオリゴマーエステル。
（Ａ）炭素数２〜３６の直鎖、分岐鎖、若しくは環状構造を含む二価カルボン酸１種又は２種以上。
（Ｂ）水酸基価から算出した平均重合度が２〜１５のポリグリセリン１種又は２種以上、及び、グリセリン。
【請求項２】
成分（Ｂ）のポリグリセリンが水酸基価から算出した平均重合度が６〜１２のポリグリセリンである請求項１に記載のオリゴマーエステル。
【請求項３】
成分（Ａ）が、炭素数２〜２２の直鎖、分岐鎖、若しくは環状構造を含む二価カルボン酸１種又は２種以上である請求項１〜２に記載のオリゴマーエステル。
【請求項４】
成分（Ａ）が、二価カルボン酸１種又は２種以上のうち、少なくとも１種がセバシン酸である請求項１〜３に記載のオリゴマーエステル。
【請求項５】
成分（Ｂ）１．０モルに対して成分（Ａ）を０．３〜１．５モル使用して合成されるオリゴマーエステルであり、かつ成分（Ｂ）を構成するグリセリンとポリグリセリンのモル比が１０：１〜１：１であることを特徴とする請求項１〜４に記載のオリゴマーエステル。
【請求項６】
請求項１〜５の何れかに記載のオリゴマーエステルを含有する水系・水溶性潤滑組成物。
【請求項７】
請求項１〜５の何れかに記載のオリゴマーエステルを含有する化粧品又は皮膚外用剤。
【発明の詳細な説明】
【技術分野】
【０００１】
本発明は、オリゴマーエステル、並びに、これらオリゴマーエステルを含有する安全性、潤滑性、冷却性の良い水系・水溶性潤滑組成物、及び、これらオリゴマーエステルを配合することでべたつき感が抑制された化粧品又は皮膚外用剤に関する。より具体的には、次の成分（Ａ）及び（Ｂ）より合成されてなるオリゴマーエステル、並びに、これらオリゴマーエステルを含有することを特徴とする安全性、潤滑性、冷却性の良い水系・水溶性潤滑組成物、及び、これらオリゴマーエステルを配合することでべたつき感が抑制された化粧品又は皮膚外用剤に関する。
（Ａ）炭素数２〜３６の直鎖、分岐鎖、若しくは環状構造を含む二価カルボン酸１種又は２種以上。
（Ｂ）水酸基価から算出した平均重合度が２〜１５のポリグリセリン１種又は２種以上、及び、グリセリン。
【背景技術】
【０００２】
一般に潤滑剤は、液体潤滑剤、半固体潤滑剤、固体潤滑剤に大別され、この中の液体潤滑剤は、更に動植物油・石油系潤滑剤、合成潤滑剤、水系・水溶性潤滑剤に分類される。水系・水溶性潤滑剤には、金属の切削加工・研削加工・伸線加工等に用いられる金属加工液、油圧システム等における圧力伝達媒体である油圧作動液、機械・装置等の作動部分の潤滑液又は作動液、機械・装置等の加工時において使用する潤滑液、洗浄システムで使用される防錆潤滑液、金属の洗浄・研削・切削・塑性加工、鋼の焼入れ焼き戻しに使用されるクーラント液等がある。水系・水溶性潤滑剤の溶液の形態としては、透明型、Ｏ／Ｗ乳化型、Ｗ／Ｏ乳化型、Ｗ／Ｏ／Ｗ乳化型、Ｏ／Ｗ／Ｏ乳化型等の乳化型などがある。
【０００３】
特に近年水系・水溶性潤滑剤が用いられるようになったのは、消防法規制の保管や運搬で安全性が高いこと、金属の切削加工、研削加工、伸線加工時に加工部位や加工工具が非常に高温になるため不燃性や冷却性の潤滑液が求められること、金属の切削加工、研削加工、伸線加工時に潤滑液が飛散しても安全性、汚染性、環境負荷の優れている潤滑液が求められていること、鉄鋼設備、ダイカストマシン、自動車組立設備の溶接ロボット等の油圧設備用油圧作動液も万一の火災時の事故防止として難燃性が求められることなどのためである。
【０００４】
近年、このような目的で用いられている水系・水溶性潤滑成分としては、プロピレンオキサイド−エチレンオキサイド−プロピレンオキサイド構造ブロック型ポリアルキレンオキサイド（特許文献１）、アルコールのエチレンオキサイド付加型非イオン界面活性剤、アルコールのプロピレンオキサイド末端付加型非イオン界面活性剤（特許文献２、４）、ポリアルキレングリコール（特許文献３）などのポリアルキレングリコール系油剤が知られている。しかしながら、アルコールのエチレンオキサイド付加型非イオン界面活性剤の場合は化学物質排出把握管理促進法（ＰＲＴＲ法）に該当する化学物質であるという問題があり、又、これらポリアルキレングリコール系油剤では安全性、潤滑性などが十分ではない。これらポリアルキレングリコール系油剤の安全性、潤滑性を改善した物質として、本発明者らは、二価カルボン酸とポリグリセリンから合成されてなるオリゴマーエステルを提案している（特許文献５、６、非特許文献１）が、性能及び経済性の面でまだ改善すべき課題が残されており、更に安全性、潤滑性が高く、経済性が優れた潤滑組成物が望まれていた。
【０００５】
一方、化粧品又は皮膚外用剤の分野では、従来から、皮膚の保護効果、保湿効果等を目的として、グリコール類、油脂類、多糖類等が使用されているが、これらの成分は、単独での保湿効果等は優れているものの、高い保湿性を持たせるためにこれらを高濃度の配合した化粧品又は皮膚外用剤は感触がべたつくという欠点を抱えている。これまで、べたつき感を抑制する物質の開発がなされているものの、化粧品又は皮膚外用剤のべたつき感の抑制は満足できるものではなかった。これらの背景から、化粧品又は皮膚外用剤の感触を良好のものとするためにべたつきを抑制できる物質が望まれていた。
【特許文献１】特開平８−２３９６８３号公報
【特許文献２】特開２００２−２１２５８４号公報
【特許文献３】特開２００６−８３３７８号公報
【特許文献４】特開２００６−９６８２６号公報
【特許文献５】特開２００７−１３７８４７号公報
【特許文献６】特願２００７−０８６４４２号
【非特許文献１】公技２００６−５０５６５８号公報
【発明の開示】
【発明が解決しようとする課題】
【０００６】
本発明が解決しようとしている課題は、安全性が高く、水への溶解性、分散性に優れ、潤滑性の良いオリゴマーエステル、並びに、これらオリゴマーエステルを含有する安全性、潤滑性、冷却性の良い水系・水溶性潤滑組成物、及び、これらオリゴマーエステルを配合することでべたつき感が抑制された化粧品又は皮膚外用剤を提供することにある。
【課題を解決するための手段】
【０００７】
本発明者らは前記課題を解決すべく鋭意検討を行った結果、次の成分（Ａ）及び（Ｂ）より合成されてなるオリゴマーエステルが、安全性が高く、水への溶解性、分散性に優れ、潤滑性が良いことを見出した。さらに該オリゴマーエステルは皮膚に塗布した際にも優れた潤滑性、すなわち、さらさらとして良好な感触を有し、化粧品又は皮膚外用剤に配合することで、化粧品又は皮膚外用剤のべたつき感を抑制することを見出し、本発明を完成させた。
（Ａ）炭素数２〜３６の直鎖、分岐鎖、若しくは環状構造を含む二価カルボン酸１種又は２種以上。
（Ｂ）水酸基価から算出した平均重合度が２〜１５のポリグリセリン１種又は２種以上、及び、グリセリン。
すなわち、本発明は、成分（Ａ）及び（Ｂ）より合成されてなるオリゴマーエステル、並びに、これらオリゴマーエステルを含有する安全性、潤滑性、冷却性の良い水系・水溶性潤滑組成物、及び、これらオリゴマーエステルを配合することでべたつき感が抑制された化粧品又は皮膚外用剤を提供するものである。
【発明の効果】
【０００８】
本発明のオリゴマーエステルは、安全性が高く、水への溶解性、分散性に優れ、潤滑性が良いものであり、これらオリゴマーエステルを含有した水系・水溶性潤滑組成物は、安全性、潤滑性、冷却性が良く、さらにこれらオリゴマーエステルを含有する化粧品又は皮膚外用剤は、べたつき感が抑制された良好な感触を持つものである。
【発明を実施するための最良の形態】
【０００９】
本発明には次の成分（Ａ）及び（Ｂ）より合成されてなるオリゴマーエステルを用いることが必須である。
（Ａ）炭素数２〜３６の直鎖、分岐鎖、若しくは環状構造を含む二価カルボン酸１種又は２種以上。
（Ｂ）水酸基価から算出した平均重合度が２〜１５のポリグリセリン１種又は２種以上、及び、グリセリン。
【００１０】
本発明のオリゴマーエステルの製造に用いることができるカルボン酸としては、炭素数２〜３６の直鎖、分岐鎖、若しくは環状構造を含む二価カルボン酸であり、実質的に一価カルボン酸を含有しないことが本発明の特徴である。使用することができる二価カルボン酸としては、具体的には、シュウ酸、マロン酸、コハク酸、アジピン酸、ピメリン酸、スベリン酸、アゼライン酸、セバシン酸、２，４−ジエチルペンタン二酸、ウンデカン二酸、ドデカン二酸、トリデカン二酸、テトラデカン二酸、ペンタデカン二酸、ヘキサデカン二酸、オクタデカン二酸、８−エチルオクタデカン二酸、エイコサン二酸、ジメチルエイコサン二酸、不飽和脂肪酸を重合して得られるダイマー酸、水添ダイマー酸、シクロヘキサンジカルボン酸等を例示することができる。これらの二価カルボン酸は、単独でも２種以上を混合してもよい。
【００１１】
二価カルボン酸の平均炭素数（単独使用の場合はその炭素数）が少ないと、二価カルボン酸の炭化水素基による潤滑性が低下するため、平均炭素数は６以上が好ましい。一方、平均炭素数が多すぎると反応温度におけるポリグリセリンとの相溶性に欠けるため、界面における局所反応が起こり、結果、部分的に高重合物が生成してしまう。このような局所反応を起こさないためには、二価カルボン酸１種又は２種以上の平均炭素数が１９以下であることが好ましい。従って、本発明に使用されるより好ましい二価カルボン酸１種又は２種以上としては、炭素数２〜２２の直鎖、分岐鎖若しくは環状構造を含む二価カルボン酸１種又は２種以上であり、かつ、その平均炭素数が６〜１９となるものである。具体的には、シュウ酸、マロン酸、コハク酸、アジピン酸、ピメリン酸、スベリン酸、アゼライン酸、セバシン酸、２，４−ジエチルペンタン二酸、ウンデカン二酸、ドデカン二酸、トリデカン二酸、テトラデカン二酸、ペンタデカン二酸、ヘキサデカン二酸、オクタデカン二酸、８−エチルオクタデカン二酸、エイコサン二酸、ジメチルエイコサン二酸、シクロヘキサンジカルボン酸から選ばれることがより好ましく、さらに二価カルボン酸１種又は２種以上のうち、少なくとも１種がセバシン酸であることが最も好ましい。ここで、平均炭素数とは、次式で得られる数値とする。
（式１）
平均炭素数＝Σ［（各二価カルボン酸の炭素数）×（各二価カルボン酸のモル分率）］
【００１２】
本発明のオリゴマーエステルの製造に用いるポリグリセリンとしては、水酸基価から算出した平均重合度が２〜１５のポリグリセリンである。このようなポリグリセリンとしては、例えば、阪本薬品工業（株）製のジグリセリンＳ、ポリグリセリン＃３１０、同＃５００、同＃７５０等が市販品として入手できる。平均重合度が低いと未反応水酸基の数も少なくなり親水性が乏しくなり、平均重合度が高いと潤滑性能が低下する傾向にあるため、より好ましくは水酸基価から算出した平均重合度が６〜１２のポリグリセリンである。ここで、水酸基価から算出した平均重合度とは、次式で得られる数値とする。
（式２）
Ａ＝５６．１×１０００／水酸基価  とすると
平均重合度  ＝（２×Ａ−１８．０）／（７４．１−Ａ）
【００１３】
本発明の、オリゴマーエステルの製造方法は、特に限定されないが、成分（Ａ）と成分（Ｂ）とをエステル化反応させることにより得ることができる。本発明のオリゴマーエステルの製造において、成分（Ａ）と成分（Ｂ）のそれぞれの仕込み比を変えることにより、得られるオリゴマーエステルの重合度を調整することができる。成分（Ｂ）に対して成分（Ａ）が少ないと十分な潤滑性能を得ることができない。また、成分（Ｂ）に対して成分（Ａ）が多いと重合度に対応して粘度が高くなり、製造が困難になる。したがって、仕込み比の好ましい範囲は、成分（Ｂ）１．０モルに対して成分（Ａ）が０．３〜１．５モルであり、より好ましい範囲は、成分（Ｂ）１．０モルに対して成分（Ａ）が０．４〜１．２モルである。
【００１４】
本発明のオリゴマーエステルの製造において、成分（Ｂ）はポリグリセリンとグリセリンとを併用することが重要であり、グリセリンを併用することにより、ポリグリセリンを単独で使用した場合よりも、潤滑性が優れたオリゴマーエステルを得ることができる。また、グリセリンを併用することは、経済性の面からも優位である。成分（Ｂ）において、ポリグリセリンに対するグリセリンの比率が高いと親水性が乏しくなり、逆にポリグリセリンに対するグリセリンの比率が低いと十分な潤滑性能を得ることができない。したがって、成分（Ｂ）であるポリグリセリンとグリセリンのそれぞれの仕込み比の好ましい範囲は、グリセリンとポリグリセリンのモル比が１０：１〜１：１であり、より好ましい範囲は、グリセリンとポリグリセリンのモル比が７：１〜１．５：１であり、さらに、最も好ましい範囲は、グリセリンとポリグリセリンのモル比が４．５：１〜２：１である。
【００１５】
エステル化反応の条件は特に限定されず、通常用いられる方法で行われる。例えば、触媒としてパラトルエンスルホン酸、硫酸、塩酸、メタンスルホン酸、三フッ化硼素ジエチルエーテル錯体等を用い、適当な溶媒を用いて、５０〜２６０℃で行うことができる。あるいは無溶剤、無触媒でも１５０〜２６０℃でエステル化を行うことができる。より好ましい方法としては、無溶剤、無触媒で１５０〜２６０℃でエステル化を行う方法である。このようにして得られたオリゴマーエステルは、そのまま水系・水溶性潤滑組成物、及び、化粧品又は皮膚外用剤に使用できるが、更に必要に応じて通常の方法により蒸留、脱色、脱臭などの精製をして使用することもできる。
【００１６】
上記のようにして得られたオリゴマーエステルは、生分解性が高く環境負荷の小さい構造を有し、人への安全性も高く、又、親水性が高く水を含有する水系・水溶性潤滑組成物に容易に配合できるため、安全性、潤滑性、冷却性の良い潤滑組成物を提供することができる。また、水を含有する化粧品又は皮膚外用剤に容易に配合でき、べたつき感が抑制された良好な感触とを併せ持つ化粧品又は皮膚外用剤を提供することができる。
【００１７】
一方、本発明のオリゴマーエステルを含有する水系・水溶性潤滑組成物は、本発明の好ましい効果を損なわない範囲で、本オリゴマーエステルの他、水、防腐剤などを配合しても良い。さらに、一般的に潤滑剤に配合される添加成分、例えば極圧剤、腐食防止剤、防錆剤、潤滑添加剤、ｐＨ調整剤、金属イオン封鎖剤、界面活性剤、溶剤、増粘剤、酸化防止剤、消泡剤、着色剤等を配合することができる。本発明のオリゴマーエステルの水系・水溶性潤滑組成物への配合量は、特に限定されないが、０．１〜９０重量％程度が好ましく、より好ましくは１〜６０重量％である。
【００１８】
これらの配合成分を例示すると、防腐剤としては、メチルパラベン、エチルパラベン、プロピルパラベン、ブチルパラベン等のヒドロキシ安息香酸及びその塩若しくはそのエステル；ヘキサヒドロ−１，３，５−トリス（２−ヒドロキシエチル）−１，３，５−トリアジン等のトリアジン類；１，２−ベンゾイソチアゾリン−３−オン、５−クロロ−２−メチル−４−イソチアゾリン−３−オン、２−メチル−４−イソチアゾリン−３−オン等のイソチアゾリンオン誘導体；ｏ−フェニルフェノール、ｏ−フェニルフェノールナトリウム、２，３，４，６−テトラクロロフェノール、フェノール、イソプロピルフェノール、クレゾール、チモール、パラクロロフェノール等のフェノール類；トリクロサン等のハロゲン化ビスフェノール類、酸アミド類、四級アンモニウム塩類；トリクロロカルバニド、ジンクピリチオン、塩化ベンザルコニウム、塩化ベンゼトニウム、ソルビン酸、クロルヘキシジン、グルコン酸クロルヘキシジン、ハロカルバン、ヘキサクロロフェン、ヒノキチオール、サリチル酸；安息香酸ナトリウム；フェノキシエタノール；１，２−ペンタンジオール、１，２−ヘキサンジオール等の１，２−ジオール；フェニルエチルアルコール；イミダゾリニウムウレア；デヒドロ酢酸及びその塩が好ましいものとして挙げられる。
【００１９】
極圧剤としては、ジベンジルジサルファイド、硫化脂肪エステルなどのイオウ化合物、トリクレジルフォスフェートなどのリン化合物などがあり、腐食防止剤としてはベンゾトリアゾール、メルカプトベンゾチアゾール、グルコン酸ナトリウム、コハク酸エステル系などがあり、防錆剤としては、カルボン酸及びその塩、スルホン酸及びその塩、アミン及びその塩、エステル、エーテル、油脂などがある。
【００２０】
潤滑添加剤としては、アルファオレフィンオリゴマー、ポリブテン、アルキルベンゼン、シクロアルカン類などの炭化水素系化合物；２−エチルヘキサン酸、カプリル酸、ノナン酸、カプリン酸、ラウリン酸、ミリスチン酸、パルミチン酸、ステアリン酸、イソステアリン酸、オレイン酸、ラノリン由来の脂肪酸、アジピン酸、ピメリン酸、スベリン酸、アゼライン酸、セバシン酸、２，４−ジエチルペンタン二酸、ウンデカン二酸、ドデカン二酸、トリデカン二酸、テトラデカン二酸、ダイマー酸などの脂肪族カルボン酸；２−エチルヘキサノール、オクタノール、ノナノール、デカノール、ドデカノール、テトラデカノール、ヘキサデカノール、オクタデカノール、イソステアリルアルコール、オレイルアルコール、ダイマージオール、トリメチロールプロパン、ペンタエリスリトール、ジペンタエリスリトール、ネオペンチルグリコールなどの脂肪族アルコール;前記脂肪族カルボン酸と脂肪族アルコールとのエステル、ポリオールエステル、リン酸エステルなどのエステル系化合物；ポリアルキレングリコール、ポリアルキレングリコールアルキルエーテル、フェニルエーテルなどのエーテル系化合物；ポリシロキサン、シリケートエステルなどのシリコーン系化合物；フッ化カーボン系化合物；鉱物油、大豆油、菜種油、ひまし油、やし油、牛脂などの動植物油などがある。
【００２１】
ｐＨ調整剤としては、水酸化ナトリウム、水酸化カリウム、水酸化マグネシウム、水酸化カルシウム、水酸化リチウム、炭酸ナトリウム、炭酸カリウム、炭酸水素ナトリウム、炭酸水素カリウム、セスキ炭酸ナトリウム、セスキ炭酸カリウム、酸化ホウ素、メタホウ酸ナトリウムなどの無機アルカリ、エチルアミン、ジイソプロピルアミン、ブチルアミン、モノエタノールアミン、ジエタノールアミン、トリエタノールアミン、Ｎ−メチルモノエタノールアミン、Ｎ−エチルモノエタノールアミン、Ｎ−メチルジエタノールアミン、Ｎ−エチルジエタノールアミン、エチレンジアミン、ジエチレントリアミン、ピリジン、ピペラジン、モルホリンなどの有機アルカリが挙げられる。
【００２２】
金属イオン封鎖剤としては、ＥＤＴＡ、ＥＤＴＡ２Ｎａ、ＥＤＴＡ３Ｎａ、ＥＤＴＡ４Ｎａ等のエデト酸塩（エチレンジアミン四酢酸塩）；ＨＥＤＴＡ３Ｎａ等のヒドロキシエチルエチレンジアミン三酢酸塩；ペンテト酸塩（ジエチレントリアミン五酢酸塩）；フィチン酸；エチドロン酸等のホスホン酸及びそのナトリウム、カリウム塩等の塩類；シュウ酸ナトリウム；ポリアスパラギン酸、ポリグルタミン酸等のポリポリアミノ酸類；ポリリン酸ナトリウム、メタリン酸ナトリウム、リン酸；クエン酸ナトリウム、クエン酸、アラニン、ジヒドロキシエチルグリシン、グルコン酸、アスコルビン酸、コハク酸、酒石酸などが挙げられる。
【００２３】
界面活性剤としては、ポリエチレングリコール、ポリエチレングリコールアルキルエーテル、ポリエチレングリコールジアルキルエーテル、ポリプロピレングリコール、ポリエチレングリコールプロピレングリコール、ポリエチレングリコールプロピレングリコールアルキルエーテル、エチレンオキサイド単独重合体、エチレンオキサイドとプロピレンオキサイドのランダムもしくはブロック共重合体、エチレンオキサイド単独重合体のアルキルエーテル誘導体、エチレンオキサイドとプロピレンオキサイドのランダムもしくはブロック共重合体のアルキルエーテル誘導体、アルキルベンゼンスルホン酸塩、石油スルホネート塩、脂肪酸塩などがある。
【００２４】
溶剤としては、アセトン、メタノール、エタノール、プロパノール、エチレングリコールモノアルキルエーテル、エチレングリコールジアルキルエーテル、メチルエチルケトン、メチルイソブチルケトン、エチレングリコール、プロピレングリコール、グリセリン、ソルビトールなどがある。
【００２５】
増粘剤としては、ポリカルボン酸及びその塩、ポリビニルアルコール、アルコールのアルキレンオキサイド付加物、ポリアミンアルキレンオキサイド付加物、セルロース誘導体などがある。
【００２６】
酸化防止剤としては、２，４−ジメチル−６−ｔｅｒｔブチルフェノール、２，６−ジｔｅｒｔブチル−４−メチルフェノールなどのフェノール系化合物、Ｎ−フェニル−４−オクチルフェニルアミン、Ｎ−フェニルアルファナフチルアミン、フェノチアジンなどのアミン系化合物、ジアリルジチオリン酸亜鉛などのリン酸亜鉛化合物など、消泡剤としてはシリコン化合物、ポリエーテル系非イオン活性剤など、着色剤としては、有機系染料などが用いられる。
【００２７】
これらの他、一般的に水系・水溶性潤滑組成物として配合される成分、日本国及び諸外国特許公報及び特許公開公報（公表公報・再公表を含む）に記載されている成分等を、公知の組み合わせ及び配合比・配合量で配合することが可能である。
【００２８】
本発明の水系・水溶性潤滑組成物は、金属の切削加工・研削加工・伸線加工等に用いられる金属加工液、油圧システム等における圧力伝達媒体である油圧作動液、機械・装置等の作動部分の潤滑液又は作動液、機械・装置等の加工時において使用する潤滑液、洗浄システムで使用される防錆潤滑液、金属の洗浄・研削・切削・塑性加工、鋼の焼入れ焼き戻しに使用されるクーラント液等として使用することができる。
【００２９】
本発明の水系・水溶性潤滑組成物は、水中油（Ｏ／Ｗ）型、油中水（Ｗ／Ｏ）型、Ｗ／Ｏ／Ｗ型、Ｏ／Ｗ／Ｏ型等の乳化型、透明可溶化型等の剤型で使用できる。又、得られた水系・水溶性潤滑組成物は、そのまま使用しても良いが、必要に応じて水や溶剤で１．１〜１００倍に希釈して使用しても良い。
【００３０】
他方、本発明のオリゴマーエステルを含有する化粧品又は皮膚外用剤は、本発明のオリゴマーエステルのべたつき感抑制機能により、感触、安全性に優れたものである。本発明のオリゴマーエステルの化粧品又は皮膚外用剤への配合量は、特に限定されないが、オリゴマーエステルとして０．０１〜５０重量％程度が好ましく、より好ましくは０．０５〜５０重量％である。また、本発明の化粧品又は皮膚外用剤には、必要に応じて水及び一般的に化粧品又は皮膚外用剤に配合される添加成分、例えば油性基剤、保湿剤、感触向上剤、界面活性剤、高分子、増粘・ゲル化剤、溶剤、噴射剤、酸化防止剤、還元剤、酸化剤、防腐剤、抗菌剤、キレート剤、ｐＨ調整剤、酸、アルカリ、粉体、無機塩、紫外線吸収剤、美白剤、ビタミン類及びその誘導体類、消炎剤、抗炎症剤、育毛用薬剤、血行促進剤、刺激剤、ホルモン類、抗しわ剤、抗老化剤、ひきしめ剤、冷感剤、温感剤、創傷治癒促進剤、刺激緩和剤、鎮痛剤、細胞賦活剤、植物・動物・微生物エキス、鎮痒剤、角質剥離・溶解剤、制汗剤、清涼剤、収れん剤、酵素、核酸、香料、色素、着色剤、染料、顔料、水等を配合することができる。
【００３１】
これらの添加成分を例示すると、油性基剤としては、セタノール、ミリスチルアルコール、オレイルアルコール、ラウリルアルコール、セトステアリルアルコール、ステアリルアルコール、アラキルアルコール、ベヘニルアルコール、ホホバアルコール、キミルアルコール、セラキルアルコール、バチルアルコール、ヘキシルデカノール、イソステアリルアルコール、２−オクチルドデカノール、ダイマージオール等の高級アルコール類；ベンジルアルコール等のアラルキルアルコール及び誘導体；ラウリン酸、ミリスチン酸、パルミチン酸、ステアリン酸、イソステアリン酸、ベヘン酸、ウンデシレン酸、１２−ヒドロキシステアリン酸、パルミトオレイン酸、オレイン酸、リノール酸、リノレイン酸、エルカ酸、ドコサヘキサエン酸、エイコサペンタエン酸、イソヘキサデカン酸、アンテイソヘンイコサン酸、長鎖分岐脂肪酸、ダイマー酸、水素添加ダイマー酸等の高級脂肪酸類及びそのアルミニウム塩、カルシウム塩、マグネシウム塩、亜鉛塩、カリウム、ナトリウム塩等の金属石けん類、及びアミド等の含窒素誘導体類；流動パラフィン（ミネラルオイル）、重質流動イソパラフィン、軽質流動イソパラフィン、α−オレフィンオリゴマー、ポリイソブテン、水添ポリイソブテン、ポリブテン、スクワラン、オリーブ由来スクワラン、スクワレン、ワセリン、固型パラフィン等の炭化水素類；キャンデリラワックス、カルナウバワックス、ライスワックス、木ろう、みつろう、モンタンワックス、オゾケライト、セレシン、パラフィンワックス、マイクロクリスタリンワックス、ペトロラタム、フィッシャートロプシュワックス、ポリエチレンワックス、エチレン・プロピレンコポリマー等のワックス類；ヤシ油、パーム油、パーム核油、サフラワー油、オリーブ油、ヒマシ油、アボカド油、ゴマ油、茶油、月見草油、小麦胚芽油、マカデミアナッツ油、ヘーゼルナッツ油、ククイナッツ油、ローズヒップ油、メドウフォーム油、パーシック油、ティートリー油、ハッカ油、トウモロコシ油、ナタネ油、ヒマワリ油、小麦胚芽油、アマニ油、綿実油、大豆油、落花生油、コメヌカ油、カカオ脂、シア脂、水素添加ヤシ油、水素添加ヒマシ油、ホホバ油、水素添加ホホバ油等の植物油脂類；牛脂、乳脂、馬脂、卵黄油、ミンク油、タートル油等の動物性油脂類；鯨ロウ、ラノリン、オレンジラッフィー油等の動物性ロウ類；液状ラノリン、還元ラノリン、吸着精製ラノリン、酢酸ラノリン、酢酸液状ラノリン、ヒドロキシラノリン、ポリオキシエチレンラノリン、ラノリン脂肪酸、硬質ラノリン脂肪酸、ラノリンアルコール、酢酸ラノリンアルコール、酢酸（セチル・ラノリル）エステル等のラノリン類；レシチン、ホスファチジルコリン、ホスファチジルエタノールアミン、ホスファチジルセリン、ホスファチジルグリセロール、ホスファチジルイノシトール、スフィンゴミエリン等のスフィンゴリン脂質、ホスファチジン酸、リゾレシチン等のリン脂質類；水素添加大豆リン脂質、部分水素添加大豆リン脂質、水素添加卵黄リン脂質、部分水素添加卵黄リン脂質等のリン脂質誘導体類；コレステロール、ジヒドロコレステロール、ラノステロール、ジヒドロラノステロール、フィトステロール、コール酸等のステロール類；���ポゲニン類；サポニン類；酢酸コレステリル、ノナン酸コレステリル、ステアリン酸コレステリル、イソステアリン酸コレステリル、オレイン酸コレステリル、Ｎ−ラウロイル−Ｌ−グルタミン酸ジ（コレステリル／ベヘニル／オクチルドデシル）、Ｎ−ラウロイル−Ｌ−グルタミン酸ジ（コレステリル／オクチルドデシル）、Ｎ−ラウロイル−Ｌ−グルタミン酸ジ（フィトステリル／ベヘニル／オクチルドデシル）、Ｎ−ラウロイル−Ｌ−グルタミン酸ジ（フィトステリル／オクチルドデシル）、Ｎ−ラウロイルサルコシンイソプロピル等のアシルサルコシンアルキルエステル、１２−ヒドロキシステアリン酸コレステリル、マカデミアナッツ油脂肪酸コレステリル、マカデミアナッツ油脂肪酸フィトステリル、イソステアリン酸フィトステリル、軟質ラノリン脂肪酸コレステリル、硬質ラノリン脂肪酸コレステリル、長鎖分岐脂肪酸コレステリル、長鎖α−ヒドロキシ脂肪酸コレステリル等のステロールエステル類；リン脂質・コレステロール複合体、リン脂質・フィトステロール複合体等の脂質複合体；ミリスチン酸オクチルドデシル、ミリスチン酸ヘキシルデシル、イソステアリン酸オクチルドデシル、パリミチン酸セチル、パルミチン酸オクチルドデシル、オクタン酸セチル、オクタン酸ヘキシルデシル、イソノナン酸イソトリデシル、イソノナン酸イソノニル、イソノナン酸オクチル、イソノナン酸イソトリデシル、ネオペンタン酸イソデシル、ネオペンタン酸イソトリデシル、ネオペンタン酸イソステアリル、ネオデカン酸オクチルドデシル、オレイン酸オレイル、オレイン酸オクチルドデシル、リシノレイン酸オクチルドデシル、ラノリン脂肪酸オクチルドデシル、ジメチルオクタン酸ヘキシルデシル、エルカ酸オクチルドデシル、イソステアリン酸硬化ヒマシ油、オレイン酸エチル、アボカド油脂肪酸エチル、ミリスチン酸イソプロピル、パルミチン酸イソプロピル、パルミチン酸オクチル、イソステアリン酸イソプロピル、ラノリン脂肪酸イソプロピル、セバチン酸ジエチル、セバチン酸ジイソプロピル、セバチン酸ジオクチル、アジピン酸ジイソプロピル、セバチン酸ジブチルオクチル、アジピン酸ジイソブチル、コハク酸ジオクチル、クエン酸トリエチル等のモノアルコールカルボン酸エステル類；乳酸セチル、リンゴ酸ジイソステアリル、モノイソステアリン酸水添ヒマシ油等のオキシ酸エステル類；トリオクタン酸グリセリル、トリオレイン酸グリセリル、トリイソステアリン酸グリセリル、ジイソステアリン酸グリセリル、トリ（カプリル酸／カプリン酸）グリセリル、トリ（カプリル酸／カプリン酸／ミリスチン酸／ステアリン酸）グリセリル、水添ロジントリグリセリド（水素添加エステルガム）、ロジントリグリセリド（エステルガム）、ベヘン酸エイコサン二酸グリセリル、トリオクタン酸トリメチロールプロパン、トリイソステアリン酸トリメチロールプロパン、ジオクタン酸ネオペンチルグリコール、ジカプリン酸ネオペンチルグリコール、ジオクタン酸２−ブチル−２−エチル−１，３−プロパンジオール、ジオレイン酸プロピレングリコール、テトラオクタン酸ペンタエリスリチル、水素添加ロジンペンタエリスリチル、トリエチルヘキサン酸ジトリメチロールプロパン、（イソス��アリン酸／セバシン酸）ジトリメチロールプロパン、トリエチルヘキサン酸ペンタエリスリチル、（ヒドロキシステアリン酸／ステアリン酸／ロジン酸）ジペンタエリスリチル、ジイソステアリン酸ジグリセリル、テトライソステアリン酸ポリグリセリル、ノナイソステアリン酸ポリグリセリル−１０、デカ（エルカ酸／イソステアリン酸／リシノレイン酸）ポリグリセリル−８、（ヘキシルデカン酸／セバシン酸）ジグリセリルオリゴエステル、ジステアリン酸グリコール（ジステアリン酸エチレングリコール）、ジネオペンタン酸３−メチル−１，５−ペンタンジオール、ジネオペンタン酸２，４−ジエチル−１，５−ペンタンジオール等の多価アルコール脂肪酸エステル類；ダイマージリノール酸ジイソプロピル、ダイマージリノール酸ジイソステアリル、ダイマージリノール酸ジ（イソステアリル／フィトステリル）、ダイマージリノール酸（フィトステリル／ベヘニル）、ダイマージリノール酸（フィトステリル／イソステアリル／セチル／ステアリル／ベヘニル）、ダイマージリノール酸ダイマージリノレイル、ジイソステアリン酸ダイマージリノレイル、ダイマージリノレイル水添ロジン縮合物、ダイマージリノール酸硬化ヒマシ油、ヒドロキシアルキルダイマージリノレイルエーテル等のダイマー酸若しくはダイマージオールの誘導体；ヤシ油脂肪酸モノエタノールアミド（コカミドＭＥＡ）、ヤシ油脂肪酸ジエタノールアミド（コカミドＤＥＡ）、ラウリン酸モノエタノールアミド（ラウラミドＭＥＡ）、ラウリン酸ジエタノールアミド（ラウラミドＤＥＡ）、ラウリン酸モノイソプロパノールアミド（ラウラミドＭＩＰＡ）、パルミチン酸モノエタノールアミド（パルタミドＭＥＡ）、パルミチン酸ジエタノールアミド（パルタミドＤＥＡ）、ヤシ油脂肪酸メチルエタノールアミド（コカミドメチルＭＥＡ）等の脂肪酸アルカノールアミド類；ジメチコン（ジメチルポリシロキサン）、高重合ジメチコン（高重合ジメチルポリシロキサン）、シクロメチコン（環状ジメチルシロキサン、デカメチルシクロペンタシロキサン）、フェニルトリメチコン、ジフェニルジメチコン、フェニルジメチコン、ステアロキシプロピルジメチルアミン、（アミノエチルアミノプロピルメチコン／ジメチコン）コポリマー、ジメチコノール、ジメチコノールクロスポリマー、シリコーン樹脂、シリコーンゴム、アミノプロピルジメチコン及びアモジメチコン等のアミノ変性シリコーン、カチオン変性シリコーン、ジメチコンコポリオール等のポリエーテル変性シリコーン、ポリグリセリン変性シリコーン、糖変性シリコーン、カルボン酸変性シリコーン、リン酸変性シリコーン、硫酸変性シリコーン、アルキル変性シリコーン、脂肪酸変性シリコーン、アルキルエーテル変性シリコーン、アミノ酸変性シリコーン、ペプチド変性シリコーン、フッ素変性シリコーン、カチオン変性及びポリエーテル変性シリコーン、アミノ変性及びポリエーテル変性シリコーン、アルキル変性及びポリエーテル変性シリコーン、ポリシロキサン・オキシアルキレン共重合体等のシリコーン類；パーフルオロデカン、パーフルオロオクタン、パーフルオロポリエーテル等のフッ素系油剤類が、好ましいものとして挙げられる。
【００３２】
保湿剤・感触向上剤としては、グリセリン、１，３−ブチレングリコール、プロピレングリコール、３−メチル−１，３−ブタンジオール、１，３−プロパンジオール、２−メチル−１，３−プロパンジオール、トリメチロールプロパン、ペンタエリスリトール、ヘキシレングリコール、ジグリセリン、ポリグリセリン、ジエチレングリコール、ポリエチレングリコール、ジプロピレングリコール、ポリプロピレングリコール、エチレングリコール・プロピレングリコール共重合体等のポリオール類及びその重合体；ジエチレングリコールモノエチルエーテル（エトキシジグリコール）、エチレングリコールモノエチルエーテル、エチレングリコールモノブチルエーテル、ジエチレングリコールジブチルエーテル等のグリコールアルキルエーテル類；（エイコサン二酸／テトラデカン二酸）ポリグリセリル−１０、テトラデカン二酸ポリグリセリル−１０等の水溶性エステル類；ソルビトール、キシリトール、エリスリトール、マンニトール、マルチトール等の糖アルコール類；グルコース、フルクトース、ガラクトース、マンノース、トレオース、キシロース、アラビノース、フコース、リボース、デオキシリボース、マルトース、トレハロース、ラクトース、ラフィノース、グルコン酸、グルクロン酸、シクロデキストリン類（α−、β−、γ−シクロデキストリン、及び、マルトシル化、ヒドロキシアルキル化等の修飾シクロデキストリン）、β−グルカン、キチン、キトサン、ヘパリン及び誘導体、ペクチン、アラビノガラクタン、デキストリン、デキストラン、グリコーゲン、エチルグルコシド、メタクリル酸グルコシルエチル重合物若しくは共重合物等の糖類及びその誘導体類；ヒアルロン酸、ヒアルロン酸ナトリウム；コンドロイチン硫酸ナトリウム；ムコイチン硫酸、カロニン硫酸、ケラト硫酸、デルマタン硫酸；シロキクラゲ抽出物、シロキクラゲ多糖体；フコイダン；チューベロース多糖体、天然由来多糖体；クエン酸、酒石酸、乳酸等の有機酸及びその塩；尿素；２−ピロリドン−５−カルボン酸及びそのナトリウム等の塩；ベタイン（トリメチルグリシン）、プロリン、ヒドロキシプロリン、アルギニン、リジン、セリン、グリシン、アラニン、フェニルアラニン、チロシン、β−アラニン、スレオニン、グルタミン酸、グルタミン、アスパラギン、アスパラギン酸、システイン、シスチン、メチオニン、ロイシン、イソロイシン、バリン、トリプトファン、ヒスチジン、タウリン等のアミノ酸類及びその塩；コラーゲン、魚由来コラーゲン、アテロコラーゲン、ゼラチン、エラスチン、コラーゲン分解ペプチド、加水分解コラーゲン、塩化ヒドロキシプロピルアンモニウム加水分解コラーゲン、エラスチン分解ペプチド、ケラチン分解ペプチド、加水分解ケラチン、コンキオリン分解ペプチド、加水分解コンキオリン、シルク蛋白分解ペプチド、加水分解シルク、ラウロイル加水分解シルクナトリウム、大豆蛋白分解ペプチド、小麦蛋白分解ペプチド、加水分解小麦蛋白、カゼイン分解ペプチド、アシル化ペプチド等の蛋白ペプチド類及びその誘導体；パルミトイルオリゴペプチド、パルミトイルペンタペプチド、パルミトイルテトラペプチド等のアシル化ペプチド類；シリル化ペプチド類；乳酸菌培養液、��母抽出液、卵殻膜タンパク、牛顎下腺ムチン、ヒポタウリン、ゴマリグナン配糖体、グルタチオン、アルブミン、乳清；塩化コリン、ホスホリルコリン；胎盤抽出液、エアラスチン、コラーゲン、アロエ抽出物、ハマメリス水、ヘチマ水、カモミラエキス、カンゾウエキス、コンフリーエキス、シルクエキス、イザヨイバラエキス、セイヨウノコギリソウエキス、ユーカリエキス、メリロートエキス等の動物・植物抽出成分、天然型セラミド（タイプ１、２、３、４、５、６）、ヒドロキシセラミド、疑似セラミド、スフィンゴ糖脂質、セラミド及び糖セラミド含有エキス等のセラミド類が好ましいものとして挙げられる。
【００３３】
界面活性剤としては、陰イオン性界面活性剤、非イオン界面活性剤、陽イオン性界面活性剤、両性界面活性剤、高分子界面活性剤等が好ましいものとして挙げられる。界面活性剤のＨＬＢには特に制限はなく、１程度の低いものから２０程度の高いものまで使用でき、ＨＬＢ低いものと高いものを組み合わせることも好ましい。界面活性剤として好ましいものを例示すると、陰イオン性界面活性剤では、ラウリン酸カリウム、ミリスチン酸カリウム等の脂肪酸塩；ラウリル硫酸ナトリウム、ラウリル硫酸トリエタノールアミン、ラウリル硫酸アンモニウム等のアルキル硫酸エステル塩；ラウレス硫酸ナトリウム、ラウレス硫酸トリエタノールアミン等のポリオキシエチレンアルキル硫酸塩；ココイルメチルタウリンナトリウム、ココイルメチルタウリンカリウム、ラウロイルメチルタウリンナトリウム、ミリストイルメチルタウリンナトリウム、ラウロイルメチルアラニンナトリウム、ラウロイルサルコシンナトリウム、ラウロイルサルコシントリエタノールアミン、ラウロイルグルタミン酸メチルアラニンナトリウム等のアシルＮ−メチルアミノ酸塩；ココイルグルタミン酸ナトリウム、ココイルグルタミン酸トリエタノールアミン、ラウロイルグルタミン酸ナトリウム、ミリストイルグルタミン酸ナトリウム、ステアロイルグルタミン酸ナトリウム、パルミトイルアスパラギン酸ジトリエタノールアミン、ココイルアラニントリエタノールアミン等のアシルアミノ酸塩；ラウレス酢酸ナトリウム等のポリオキシエチレンアルキルエーテル酢酸塩；ラウロイルモノエタノールアミドコハク酸ナトリウム等のコハク酸エステル塩；脂肪酸アルカノールアミドエーテルカルボン酸塩；アシル乳酸塩；ポリオキシエチレン脂肪アミン硫酸塩；脂肪酸アルカノールアミド硫酸塩；硬化ヤシ油脂肪酸グリセリン硫酸ナトリウム等の脂肪酸グリセリド硫酸塩；アルキルベンゼンポリオキシエチレン硫酸塩；α−オレフィンスルホン酸ナトリウム等のオレフィンスルホン酸塩；スルホコハク酸ラウリル２ナトリウム、スルホコハク酸ジオクチルナトリウム等のアルキルスルホコハク酸塩；スルホコハク酸ラウレス２ナトリウム、モノラウロイルモノエタノールアミドポリオキシエチレンスルホコハク酸ナトリウム、ラウリルポリプロピレングリコールスルホコハク酸ナトリウム等のアルキルエーテルスルホコハク酸塩；テトラデシルベンゼンスルホン酸ナトリウム、テトラデシルベンゼンスルホン酸トリエタノールアミン等のアルキルベンゼンスルホン酸塩；アルキルナフタレンスルホン酸塩；アルカンスルホン酸塩；α−スルホ脂肪酸メチルエステル塩；アシルイセチオン酸塩；アルキルグリシジルエーテルスルホン酸塩；アルキルスルホ酢酸塩；ラウレスリン酸ナトリウム、ジラウレスリン酸ナトリウム、トリラウレスリン酸ナトリウム、モノオレスリン酸ナトリウム等のアルキルエーテルリン酸エステル塩；ラウリルリン酸カリウム等のアルキルリン酸エステル塩；カゼインナトリウム；アルキルアリールエーテルリン酸塩；脂肪酸アミドエーテルリン酸塩；ホスファチジルグリセロール、ホスファチジルイノシトール、ホスファチジン酸等のリン脂質類；カルボン酸変性シリコーン、リン酸変性シリコーン、硫酸変性シリコーン等のシリコ��ン系陰イオン性界面活性剤等；非イオン界面活性剤では、ラウレス（ポリオキシエチレンラウリルエーテル）類、セテス（ポリオキシエチレンセチルエーテル）類、ステアレス（ポリオキシエチレンステアリルエーテル）類、ベヘネス類（ポリオキシエチレンベヘニルエーテル）、イソステアレス（ポリオキシエチレンイソステアリルエーテル）類、オクチルドデセス（ポリオキシエチレンオクチルドデシルエーテル）類等の種々のポリオキシエチレン付加数のポリオキシエチレンアルキルエーテル類；ポリオキシエチレンアルキルフェニルエーテル；ポリオキシエチレン硬化ヒマシ油、ポリオキシエチレンヒマシ油、ポリオキシエチレン硬化ヒマシ油モノイソステアレート、ポリオキシエチレン硬化ヒマシ油トリイソステアレート、ポリオキシエチレン硬化ヒマシ油モノピログルタミン酸モノイソステアリン酸ジエステル、ポリオキシエチレン硬化ヒマシ油マレイン酸等のヒマシ油及び硬化ヒマシ油誘導体；ポリオキシエチレンフィトステロール；ポリオキシエチレンコレステロール；ポリオキシエチレンコレスタノール；ポリオキシエチレンラノリン；ポリオキシエチレン還元ラノリン；ポリオキシエチレン・ポリオキシプロピレンセチルエーテル、ポリオキシエチレン・ポリオキシプロピレン２−デシルテトラデシルエーテル、ポリオキシエチレン・ポリオキシプロピレンモノブチルエーテル、ポリオキシエチレン・ポリオキシプロピレン水添ラノリン、ポリオキシエチレン・ポリオキシプロピレングリセリンエーテル等のポリオキシエチレン・ポリオキシプロピレンアルキルエーテル；ポリオキシエチレン・ポリオキシプロピレングリコール；ＰＰＧ−９ジグリセリル等の（ポリ）グリセリンポリオキシプロピレングリコール；ステアリン酸グリセリル、イソステアリン酸グリセリル、パルミチン酸グリセリル、ミリスチン酸グリセリル、オレイン酸グリセリル、ヤシ油脂肪酸グリセリル、モノ綿実油脂肪酸グリセリン、モノエルカ酸グリセリン、セスキオレイン酸グリセリン、α，α’−オレイン酸ピログルタミン酸グリセリン、モノステアリン酸グリセリンリンゴ酸等のグリセリン脂肪酸部分エステル類；ステアリン酸ポリグリセリル−２、同３、同４、同５、同６、同８、同１０、ジステアリン酸ポリグリセリル−６、同１０、トリステアリン酸ポリグリセリル−２、デカステアリン酸ポリグリセリル−１０、イソステアリン酸ポリグリセリル−２、同３、同４、同５、同６、同８、同１０、ジイソステアリン酸ポリグリセリル−２（ジイソステアリン酸ジグリセリル）、同３、同１０、トリイソステアリン酸ポリグリセリル−２、テトライソステアリン酸ポリグリセリル−２、デカイソステアリン酸ポリグリセリル−１０、オレイン酸ポリグリセリル−２、同３、同４、同５、同６、同８、同１０、ジオレイン酸ポリグリセリル−６、トリオレイン酸ポリグリセリル−２、デカオレイン酸ポリグリセリル−１０等のポリグリセリン脂肪酸エステル；モノステアリン酸エチレングリコール等のエチレングリコールモノ脂肪酸エステル；モノステアリン酸プロピレングリコール等のプロピレングリコールモノ脂肪酸エステル；ペンタエリスリトール部分脂肪酸エステル；ソルビトール部分脂肪酸エステル；マルチトール部���脂肪酸エステル；マルチトールエーテル；ソルビタンモノオレエート、ソルビタンモノイソステアレート、ソルビタンモノラウレート、ソルビタンモノパルミテート、ソルビタンモノステアレート、ソルビタンセスキオレエート、ソルビタントリオレエート、ペンタ−２−エチルヘキシル酸ジグリセロールソルビタン、テトラ−２−エチルヘキシル酸ジグリセロールソルビタン等のソルビタン脂肪酸エステル；ショ糖脂肪酸エステル、メチルグルコシド脂肪酸エステル、ウンデシレン酸トレハロース等の糖誘導体部分エステル；カプリリルグルコシド等のアルキルグルコシド；アルキルポリグリコシド；ラノリンアルコール；還元ラノリン；ポリオキシエチレンジステアレート、ポリチレングリコールジイソステアレート、ポリオキシエチレンモノオレエート、ポリオキシエチレンジオレエート等のポリオキシエチレン脂肪酸モノ及びジエステル；ポリオキシエチレン・プロピレングリコール脂肪酸エステル；ポリオキシエチレングリセリンモノステアレート、ポリオキシエチレングリセリンモノイソステアレート、ポリオキシエチレングリセリントリイソステアレート等のポリオキシエチレンモノオレエート等のポリオキシエチレングリセリン脂肪酸エステル；ポリオキシエチレンソルビタンモノオレエート、ポリオキシエチレンソルビタンモノステアレート、ポリオキシエチレンソルビタンモノオレート、ポリオキシエチレンソルビタンテトラオレエート等のポリオキシエチレンソルビタン脂肪酸エステル；ポリオキシエチレンソルビトールモノラウレート、ポリオキシエチレンソルビトールモノオレエート、ポリオキシエチレンソルビトールペンタオレエート、ポリオキシエチレンソルビトールモノステアレート等のポリオキシエチレンソルビトール脂肪酸エステル；ポリオキシエチレンメチルグルコシド脂肪酸エステル；ポリオキシエチレンアルキルエーテル脂肪酸エステル；ポリオキシエチレンソルビトールミツロウ等のポリオキシエチレン動植物油脂類；イソステアリルグリセリルエーテル、キミルアルコール、セラキルアルコール、バチルアルコール等のアルキルグリセリルエーテル類；多価アルコールアルキルエーテル；ポリオキシエチレンアルキルアミン；テトラポリオキシエチレン・テトラポリオキシプロピレン−エチレンジアミン縮合物類；サポニン、ソホロリピッド等の天然系界面活性剤；ポリオキシエチレン脂肪酸アミド；ヤシ油脂肪酸モノエタノールアミド（コカミドＭＥＡ）、ヤシ油脂肪酸ジエタノールアミド（コカミドＤＥＡ）、ラウリン酸モノエタノールアミド（ラウラミドＭＥＡ）、ラウリン酸ジエタノールアミド（ラウラミドＤＥＡ）、ラウリン酸モノイソプロパノールアミド（ラウラミドＭＩＰＡ）、パルミチン酸モノエタノールアミド（パルタミドＭＥＡ）、パルミチン酸ジエタノールアミド（パルタミドＤＥＡ）、ヤシ油脂肪酸メチルエタノールアミド（コカミドメチルＭＥＡ）等の脂肪酸アルカノールアミド類；ラウラミンオキシド、コカミンオキシド、ステアラミンオキシド、ベヘナミンオキシド等のアルキルジメチルアミンオキシド；アルキルエトキシジメチルアミンオキシド；ポリオキシエチレンアルキルメルカプタン；ジメチコンコポリオール等のポリエーテル変性シリコ���ン、ポリシロキサン・オキシアルキレン共重合体、ポリグリセリン変性シリコーン、糖変性シリコーン等のシリコーン系非イオン性界面活性剤等；陽イオン性界面活性剤では、ベヘントリモニウムクロリド、ステアルトリモニウムクロリド、セトリモニウムクロリド、ラウリルトリモニウムクロリド等のアルキルトリメチルアンモニウムクロリド；ステアリルトリモニウムブロミド等のアルキルトリメチルアンモニウムブロミド；ジステアリルジモニウムクロリド、ジココジモニウムクロリド等のジアルキルジメチルアンモニウムクロリド；ステアラミドプロピルジメチルアミン、ステアラミドエチルジエチルアミン等の脂肪酸アミドアミン及びその塩；ステアロキシプロピルジメチルアミン等のアルキルエーテルアミン及びその塩または四級塩；エチル硫酸長鎖分岐脂肪酸（１２〜３１）アミノプロピルエチルジメチルアンモニウム、エチル硫酸ラノリン脂肪酸アミノプロピルエチルジメチルアンモニウム等の脂肪酸アミド型四級アンモニウム塩；ポリオキシエチレンアルキルアミン及びその塩または四級塩；アルキルアミン塩；脂肪酸アミドグアニジウム塩；アルキルエーテルアミンモニウム塩；アルキルトリアルキレングリコールアンモニウム塩；ベンザルコニウム塩；ベンゼトニウム塩；塩化セチルピリジニウム等のピリジニウム塩；イミダゾリニウム塩；アルキルイソキノリニウム塩；ジアルキルモリホニウム塩；ポリアミン脂肪酸誘導体；アミノプロピルジメチコン及びアモジメチコン等のアミノ変性シリコーン、カチオン変性シリコーン、カチオン変性及びポリエーテル変性シリコーン、アミノ変性及びポリエーテル変性シリコーン等のシリコーン系陽イオン性界面活性剤等；
両性界面活性剤では、ラウリルベタイン（ラウリルジメチルアミノ酢酸ベタイン）等のＮ−アルキル−Ｎ，Ｎ−ジメチルアミノ酸ベタイン；コカミドプロピルベタイン、ラウラミドプロピルベタイン等の脂肪酸アミドアルキル−Ｎ，Ｎ−ジメチルアミノ酸ベタイン；ココアンホ酢酸ナトリウム、ラウロアンホ酢酸ナトリウム等のイミダゾリン型ベタイン；アルキルジメチルタウリン等のアルキルスルホベタイン；アルキルジメチルアミノエタノール硫酸エステル等の硫酸型ベタイン；アルキルジメチルアミノエタノールリン酸エステル等のリン酸型ベタイン；ホスファチジルコリン、ホスファチジルエタノールアミン、ホスファチジルセリン、スフィンゴミエリン等のスフィンゴリン脂質、リゾレシチン、水素添加大豆リン脂質、部分水素添加大豆リン脂質、水素添加卵黄リン脂質、部分水素添加卵黄リン脂質、水酸化レシチン等のリン脂質類；シリコーン系両性界面活性剤等；高分子界面活性剤では、ポリビニルアルコール、アルギン酸ナトリウム、デンプン誘導体、トラガントガム、アクリル酸・メタアクリル酸アルキル共重合体；シリコーン系各種界面活性剤が好ましいものとして挙げられる。
【００３４】
高分子・増粘剤・ゲル化剤としては、グアーガム、ローカストビーンガム、クィーンスシード、カラギーナン、ガラクタン、アラビアガム、タラガム、タマリンド、ファーセレラン、カラヤガム、トロロアオイ、キャラガム、トラガントガム、ペクチン、ペクチン酸及びナトリウム塩等の塩、アルギン酸及びナトリウム塩等の塩、マンナン；コメ、トウモロコシ、バレイショ、コムギ等のデンプン；キサンタンガム、デキストラン、サクシノグルカン、カードラン、ヒアルロン酸及びその塩、ザンサンガム、プルラン、ジェランガム、キチン、キトサン、寒天、カッソウエキス、コンドロイチン硫酸塩、カゼイン、コラーゲン、ゼラチン、アルブミン；メチルセルロース、エチルセルロース、ヒドロキシエチルセルロース、ヒドロキシプロピルセルロース、カルボキシメチルセルロース及びそのナトリウム等の塩、メチルヒドロキシプロピルセルロース、セルロース硫酸ナトリウム、ジアルキルジメチルアンモニウム硫酸セルロース、結晶セルロース、セルロース末等のセルロース及びその誘導体；可溶性デンプン、カルボキシメチルデンプン、メチルヒドロキシプロピルデンプン、メチルデンプン等のデンプン系高分子、塩化ヒドロキシプロピルトリモニウムデンプン、オクテニルコハク酸トウモロコシデンプンアルミニウム等のデンプン誘導体；アルギン酸ナトリウム、アルギン酸プロピレングリコールエステル等アルギン酸誘導体；ポリビニルピドリドン（ＰＶＰ）、ポリビニルアルコール（ＰＶＡ）、ビニルピドリドン・ビニルアルコール共重合体、ポリビニルメチルエーテル；ポリエチレングリコール、ポリプロピレングリコール、ポリオキシエチレン・ポリオキシプロピレン共重合体；（メタクリロイルオキシエチルカルボキシベタイン／メタクリル酸アルキル）コポリマー、（アクリレーツ／アクリル酸ステアリル／メタクリル酸エチルアミンオキシド）コポリマー等の両性メタクリル酸エステル共重合体；（ジメチコン／ビニルジメチコン）クロスポリマー、（アクリル酸アルキル／ジアセトンアクリルアミド）コポリマー、（アクリル酸アルキル／ジアセトンアクリルアミド）コポリマーＡＭＰ；ポリ酢酸ビニル部分けん化物、マレイン酸共重合体；ビニルピロリドン・メタクリル酸ジアルキルアミノアルキル共重合体；アクリル樹脂アルカノールアミン；ポリエステル、水分散性ポリエステル；ポリアクリルアミド；ポリアクリル酸エチル等のポリアクリル酸エステル共重合体、カルボキシビニルポリマー、ポリアクリル酸及びそのナトリウム塩等の塩、アクリル酸・メタアクリル酸エステル共重合体；アクリル酸・メタアクリル酸アルキル共重合体；ポリクオタニウム−１０等のカチオン化セルロース、ポリクオタニウム−７等のジアリルジメチルアンモニウムクロリド・アクリルアミド共重合体、ポリクオタニウム−２２等のアクリル酸・ジアリルジメチルアンモニウムクロリド共重合体、ポリクオタニウム−３９等のアクリル酸・ジアリルジメチルアンモニウムクロリド・アクリルアミド共重合体、アクリル酸・カチオン化メタアクリル酸エステル共重合体、アクリル酸・カチオン化メタアクリル酸アミド共重合体、ポリクオタニウム−４７等のアクリル酸・アクリル酸メチル・塩化メタクリルアミドプロピルトリメチルアンモニウム共重合体、塩化メタクリル酸コリンエステル重合体；カチオン化オリゴ糖、カチオン化デキストラン、グアーヒドロキシプロピルトリモニウムクロリド等のカチオン化多糖類；ポリエチレンイミン；カチオンポリマー；ポリクオタニウム−５１等の２−メタクリロイルオキシエチルホスホリルコリンの重合体及びメタクリル酸ブチル共重合体等との共重合体；アクリル樹脂エマルジョン、ポリアクリル酸エチルエマルジョン、ポリアクリルアルキルエステルエマルジョン、ポリ酢酸ビニル樹脂エマルジョン、天然ゴムラテックス、合成ラテックス等の高分子エマルジョン；ニトロセルロース；ポリウレタン類及び各種共重合体；各種シリコーン類；アクリル−シリコーングラフト共重合体等のシリコーン系各種共重合体；各種フッ素系高分子；１２−ヒドロキシステアリン酸及びその塩；パルミチン酸デキストリン、ミリスチン酸デキストリン等のデキストリン脂肪酸エステル；無水ケイ酸、煙霧状シリカ（超微粒子無水ケイ酸）、ケイ酸アルミニウムマグネシウム、ケイ酸ナトリウムマグネシウム、金属石鹸、ジアルキルリン酸金属塩、ベントナイト、ヘクトライト、有機変性粘土鉱物、ショ糖脂肪酸エステル、フラクトオリゴ糖脂肪酸エステルが好ましいものとして挙げられる。
【００３５】
溶剤・噴射剤類としては、エタノール、２−プロパノール（イソプロピルアルコール）、ブタノール、イソブチルアルコール等の低級アルコール類；プロピレングリコール、１，３−ブチレングリコール、ジエチレングリコール、ジプロピレングリコール、イソペンチルジオール等のグリコール類；ジエチレングリコールモノエチルエーテル（エトキシジグリコール）、エチレングリコールモノエチルエーテル、エチレングリコールモノブチルエーテル、トリエチレングリコールモノエチルエーテル、ジエチレングリコールジエチルエーテル、ジエチレングリコールジブチルエーテル、プロピレングリコールモノエチルエーテル、ジプロピレングリコールモノエチルエーテル等のグリコールエーテル類；エチレングリコールモノエチルエーテルアセテート、ジエチレングリコールモノエチルエーテルアセテート、プロピレングリコールモノエチルエーテルアセテート等のグリコールエーテルエステル類；コハク酸ジエトキシエチル、エチレングリコールジサクシネート等のグリコールエステル類；ベンジルアルコール、ベンジルオキシエタノール、炭酸プロピレン、炭酸ジアルキル、アセトン、酢酸エチル、Ｎ−メチルピロリドン；トルエン；フルオロカーボン、次世代フロン；ＬＰＧ、ジメチルエーテル、炭酸ガス等の噴射剤が好ましいものとして挙げられる。
【００３６】
酸化防止剤としては、トコフェロール（ビタミンＥ）、酢酸トコフェロール等のトコフェロール誘導体；ＢＨＴ、ＢＨＡ；没食子酸プロピル等の没食子酸誘導体；ビタミンＣ（アスコルビン酸）および／またはその誘導体；エリソルビン酸及びその誘導体；亜硫酸ナトリウム等の亜硫酸塩；亜硫酸水素ナトリウム等の亜硫酸水素塩；チオ硫酸ナトリウム等のチオ硫酸塩；メタ亜硫酸水素塩；チオタウリン、ヒポタウリン；チオグリセロール、チオ尿素、チオグリコール酸、システイン塩酸塩が好ましいものとして挙げられる。還元剤としては、チオグリコール酸、システイン、システアミン等が好ましいものとして挙げられる。酸化剤としては、過酸化水素水、過硫酸アンモニウム、臭素酸ナトリウム、過炭酸等が好ましいものとして挙げられる。
【００３７】
防腐剤・抗菌剤としては、メチルパラベン、エチルパラベン、プロピルパラベン、ブチルパラベン等のヒドロキシ安息香酸及びその塩若しくはそのエステル；サリチル酸；安息香酸ナトリウム；フェノキシエタノール；１，２−ペンタンジオール、１，２−ヘキサンジオール等の１，２−ジオール；メチルクロロイソチアゾリノン、メチルイソチアゾリノン等のイソチアゾリンオン誘導体；イミダゾリニウムウレア；デヒドロ酢酸及びその塩；フェノール類；トリクロサン等のハロゲン化ビスフェノール類、酸アミド類、四級アンモニウム塩類；トリクロロカルバニド、ジンクピリチオン、塩化ベンザルコニウム、塩化ベンゼトニウム、ソルビン酸、クロルヘキシジン、グルコン酸クロルヘキシジン、ハロカルバン、ヘキサクロロフェン、ヒノキチオール；フェノール、イソプロピルフェノール、クレゾール、チモール、パラクロロフェノール、フェニルフェノール、フェニルフェノールナトリウム等のその他フェノール類；フェニルエチルアルコール、感光素類、抗菌性ゼオライト、銀イオンが好ましいものとして挙げられる。キレート剤としては、ＥＤＴＡ、ＥＤＴＡ２Ｎａ、ＥＤＴＡ３Ｎａ、ＥＤＴＡ４Ｎａ等のエデト酸塩（エチレンジアミン四酢酸塩）；ＨＥＤＴＡ３Ｎａ等のヒドロキシエチルエチレンジアミン三酢酸塩；ペンテト酸塩（ジエチレントリアミン五酢酸塩）；フィチン酸；エチドロン酸等のホスホン酸及びそのナトリウム塩等の塩類；シュウ酸ナトリウム；ポリアスパラギン酸、ポリグルタミン酸等のポリポリアミノ酸類；ポリリン酸ナトリウム、メタリン酸ナトリウム、リン酸；クエン酸ナトリウム、クエン酸、アラニン、ジヒドロキシエチルグリシン、グルコン酸、アスコルビン酸、コハク酸、酒石酸が好ましいものとして挙げられる。ｐＨ調整剤・酸・アルカリとしては、クエン酸、クエン酸ナトリウム、乳酸、乳酸ナトリウム、グリコール酸、コハク酸、酢酸、酢酸ナトリウム、リンゴ酸、酒石酸、フマル酸、リン酸、塩酸、硫酸、モノエタノールアミン、ジエタノールアミン、トリエタノールアミン、イソプロパノールアミン、トリイソプロパノールアミン、２−アミノ−２−メチル−１，３ープロパンジオール、２−アミノ−２−ヒドロキシメチル−１，３ープロパンジオール、アルギニン、水酸化ナトリウム、水酸化カリウム、アンモニア水、炭酸グアニジン、炭酸アンモニウムが好ましいものとして挙げられる。
【００３８】
粉体類としては、マイカ、タルク、カオリン、セリサイト、モンモリロナイト、カオリナイト、雲母、白雲母、金雲母、合成雲母、紅雲母、黒雲母、パーミキュライト、炭酸マグネシウム、炭酸カルシウム、ケイ酸アルミニウム、ケイ酸バリウム、ケイ酸カルシウム、ケイ酸マグネシウム、ケイ酸ストロンチウム、タングステン酸金属塩、マグネシウム、ゼオライト、硫酸バリウム、焼成硫酸カルシウム、リン酸カルシウム、弗素アパタイト、ヒドロキシアパタイト、セラミックパウダー、ベントナイト、スメクタイト、粘土、泥、金属石鹸(例えば、ミリスチン酸亜鉛、パルミチン酸カルシウム、ステアリン酸アルミニウム)、炭酸カルシウム、ベンガラ、黄酸化鉄、黒酸化鉄、群青、紺青、カーボンブラック、酸化チタン、微粒子及び超微粒子酸化チタン、酸化亜鉛、微粒子及び超微粒子酸化亜鉛、アルミナ、シリカ、煙霧状シリカ（超微粒子無水ケイ酸）、雲母チタン、魚鱗箔、窒化ホウ素、ホトクロミック顔料、合成フッ素金雲母、微粒子複合粉体、金、アルミニウム等の各種の大きさ・形状の無機粉体、及び、これらをハイドロジェンシリコーン、環状ハイドロジェンシリコーン等のシリコーン若しくはその他のシラン若しくはチタンカップリング剤等の各種表面処理剤で処理を行って疎水化若しくは親水化した粉体等の無機粉体；デンプン、セルロース、ナイロンパウダー、ポリエチレン末、ポリメタクリル酸メチル末、ポリスチレン末、スチレンとアクリル酸の共重合体樹脂粉末、ポリエステル末、ベンゾグアナミン樹脂粉末、ポリエチレンテレフタレート・ポリメチルメタクリレート積層末、ポリエチレンテレフタレート・アルミニウム・エポキシ積層末等、ウレタン粉末、シリコーン粉末、テフロン（登録商標）粉末等の各種の大きさ・形状の有機系粉体及び表面処理粉体、有機無機複合粉体が好ましいものとして挙げられる。無機塩類としては、食塩、並塩、岩塩、海塩、天然塩等の塩化ナトリウム含有塩類；塩化カリウム、塩化アルミニウム、塩化カルシウム、塩化マグネシウム、にがり、塩化亜鉛、塩化アンモニウム；硫酸ナトリウム、硫酸アルミニウム、硫酸アルミニウム・カリウム（ミョウバン）、硫酸アルミニウム・アンモニウム、硫酸バリウム、硫酸カルシウム、硫酸カリウム、硫酸マグネシウム、硫酸亜鉛、硫酸鉄、硫酸銅；リン酸１Ｎａ・２Ｎａ・３Ｎａ等のリン酸ナトリウム類、リン酸カリウム類、リン酸カルシウム類、リン酸マグネシウム類が好ましいものとして挙げられる。
【００３９】
紫外線吸収剤としては、パラアミノ安息香酸、パラアミノ安息香酸モノグリセリンエステル、Ｎ，Ｎ−ジプロポキシパラアミノ安息香酸エチルエステル、Ｎ，Ｎ−ジエトキシパラアミノ安息香酸エチルエステル、Ｎ，Ｎ−ジメチルパラアミノ安息香酸エチルエステル、Ｎ，Ｎ−ジメチルパラアミノ安息香酸ブチルエステル、Ｎ，Ｎ−ジメチルパラアミノ安息香酸エチルエステル等の安息香酸系紫外線吸収剤；ホモメンチル−Ｎ−アセチルアントラニレート等のアントラニル酸系紫外線吸収剤；サリチル酸及びそのナトリウム塩、アミルサリシレート、メンチルサリシレート、ホモメンチルサリシレート、オクチルサリシレート、フェニルサリシレート、ベンジルサリシレート、ｐ−イソプロパノールフェニルサリシレート等のサリチル酸系紫外線吸収剤；オクチルシンナメート、エチル−４−イソプロピルシンナメート、メチル−２，５−ジイソプロピルシンナメート、エチル−２，４−ジイソプロピルシンナメート、メチル−２，４−ジイソプロピルシンナメート、プロピル−ｐ−メトキシシンナメート、イソプロピル−ｐ−メトキシシンナメート、イソアミル−ｐ−メトキシシンナメート、２−エチルヘキシルｐ−メトキシシンナメート（パラメトキシケイヒ酸オクチル）、２−エトキシエチル−ｐ−メトキシシンナメート（シノキサート）、シクロヘキシル-ｐ-メトキシシンナメート、エチル−α−シアノ−β−フェニルシンナメート、２−エチルヘキシルα−シアノ−β−フェニルシンナメート（オクトクリン）、グリセリルモノ−２−エチルヘキサノイル−ジパラメトキシシンナメート、フェルラ酸及びその誘導体等の桂皮酸系紫外線吸収剤；２，４−ジヒドロキシベンゾフェノン、２，２’−
ジヒドロキシ−４−メトキシベンゾフェノン、２，２’−ジヒドロキシ−４，４’−ジメトキシベンゾフェノン、２，２’，４，４’−テトラヒドロキシベンゾフェノン、２−ヒドロキシ−４−
メトキシベンゾフェノン（オキシベンゾン−３）、２−ヒドロキシ−４−メトキシ−４’−メチルベンゾフェノン、２−ヒドロキシ−４−メトキシベンゾフェノン−５−スルホン酸塩、４−フェニルベンゾフェノン、２−エチルヘキシル−４’−フェニル−ベンゾフェノン−２−カルボキシレート、２−ヒドロキシ−４−ｎ−オクトキシベンゾフェノン、４−ヒドロキシ−３−カルボキシベンゾフェノン等のベンゾフェノン系紫外線吸収剤；３−（４’−メチルベンジリデン）−ｄ，ｌ−カンファー、３−ベンジリデン−ｄ，ｌ−カンファー；２−フェニル−５−メチルベンゾキサゾール；２，２’−ヒドロキシ−５−メチルフェニルベンゾトリアゾール；２−（２’−ヒドロキシ−５’−ｔ−オクチルフェニル）ベンゾトリアゾール；２−（２’−ヒドロキシ−５’−メチルフェニルベンゾトリアゾール；ジベンザラジン；ジアニソイルメタン；５−（３，３−ジメチル−２−ノルボルニリデン）−３−ペンタン−２−オン；４−ｔ−ブチルメトキシジベンゾイルメタン等のジベンゾイルメタン誘導体；オクチルトリアゾン；ウロカニン酸及びウロカニン酸エチル等のウロカニン酸誘導体；２−（２'−ヒドロキシ−５'−メチルフェニル）ベンゾトリアゾール、１−（３，４−ジメトキシフェニル）−４，４−ジメチル−１，３−ペンタンジオン、ジメトキシベンジリデンジオキソイミダゾリジンプロピオン酸２−エチルヘキシル等のヒダントイン誘導体、フェニルベンズイミダソゾールスルホン酸、テレフタリリデンジカンフルスルホン酸、ドロメトリゾールトリシロキサン、アントラニル酸メチル、ルチン及びその誘導体、オリザノール及びその誘導体が好ましいものとして挙げられる。
【００４０】
美白剤としては、アルブチン、α−アルブチン等のヒドロキノン配糖体及びそのエステル類；アスコルビン酸、アスコルビン酸リン酸エステルナトリウム塩及びアスコルビン酸リン酸エステルマグネシウム塩等のアスコルビン酸リン酸エステル塩、アスコルビン酸テトライソパルミチン酸エステル等のアスコルビン酸脂肪酸エステル、アスコルビン酸エチルエーテル等のアスコルビン酸アルキルエーテル、アスコルビン酸−２−グルコシド等のアスコルビン酸グルコシドおよびその脂肪酸エステル類、アスコルビン酸硫酸エステル、リン酸トコフェリルアスコルビル等のアスコルビン酸誘導体；コウジ酸、エラグ酸、トラネキサム酸及びその誘導体、フェルラ酸及びその誘導体、プラセンタエキス、グルタチオン、オリザノール、ブチルレゾルシノール、油溶性カモミラエキス、油溶性カンゾウエキス、西河柳エキス、ユキノシタエキス等植物エキスが好ましいものとして挙げられる。
【００４１】
ビタミン類及びその誘導体類としては、レチノール、酢酸レチノール、パルミチン酸レチノール等のビタミンＡ類；チアミン塩酸塩、チアミン硫酸塩、リボフラビン、酢酸リボフラビン、塩酸ピリドキシン、ピリドキシンジオクタノエート、ピリドキシンジパルミテート、フラビンアデニンジヌクレオチド、シアノコバラミン、葉酸類、ニコチン酸アミド・ニコチン酸ベンジル等のニコチン酸類、コリン類等のビタミンＢ群類；アスコルビン酸及びそのナトリウム等の塩等のビタミンＣ類；ビタミンＤ；α、β、γ、δ−トコフェロール等のビタミンＥ類；パントテン酸、ビオチン等のその他ビタミン類；アスコルビン酸リン酸エステルナトリウム塩及びアスコルビン酸リン酸エステルマグネシウム塩等のアスコルビン酸リン酸エステル塩、アスコルビン酸テトライソパルミチン酸エステル・ステアリン酸アスコルビル・パルミチン酸アスコルビル・ジパルミチン酸アスコルビル等のアスコルビン酸脂肪酸エステル、アスコルビン酸エチルエーテル等のアスコルビン酸アルキルエーテル、アスコルビン酸−２−グルコシド等のアスコルビン酸グルコシド及びその脂肪酸エステル、リン酸トコフェリルアスコルビル等のアスコルビン酸誘導体；ニコチン酸トコフェロール、酢酸トコフェロール、リノール酸トコフェロール、フェルラ酸トコフェロール、トコフェロールリン酸エステル等のトコフェロール誘導体等のビタミン誘導体、トコトリエノール、その他各種ビタミン誘導体類が好ましいものとして挙げられる。
【００４２】
消炎剤・抗炎症剤としては、グリチルリチン酸及びその誘導体、グリチルレチン酸誘導体、サリチル酸誘導体、ヒノキチオール、グアイアズレン、アラントイン、インドメタシン、酸化亜鉛、酢酸ヒドロコーチゾン、プレドニゾン、塩酸ジフェドラミン、マレイン酸クロルフェニラミン；桃葉エキス、蓬葉エキス等の植物エキスが好ましいものとして挙げられる。育毛用薬剤・血行促進剤・刺激剤としては、センブリエキス、トウガラシチンキ、ショウキョウチンキ、ショウキョウエキス、カンタリスチンキ等の植物エキス・チンキ類；カプサイシン、ノニル酸ワレニルアミド、ジンゲロン、イクタモール、タンニン酸、ボルネオール、シクランデレート、シンナリジン、トラゾリン、アセチルコリン、ベラパミル、セファランチン、γ−オリザノール、セファランチン、ビタミンＥ及びニコチン酸トコフェロール・酢酸トコフェロール等の誘導体、γ−オリザノール、ニコチン酸及びニコチン酸アミド・ニコチン酸ベンジルエステル・イノシトールヘキサニコチネート、ニコチンアルコール等の誘導体、アラントイン、感光素３０１、感光素４０１、塩化カプロニウム、ペンタデカン酸モノグリセリド、フラバノノール誘導体、スチグマステロール又はスチグマスタノール及びその配糖体、ミノキシジルが好ましいものとして挙げられる。ホルモン類としては、エストラジオール、エストロン、エチニルエストラジオール、コルチゾン、ヒドロコルチゾン、プレドニゾン等が好ましいものとして挙げられる。抗しわ剤、抗老化剤、ひきしめ剤、冷感剤、温感剤、創傷治癒促進剤、刺激緩和剤、鎮痛剤、細胞賦活剤等のその他の薬効剤としては、レチノール類、レチノイン酸類、レチノイン酸トコフェリル；乳酸、グリコール酸、グルコン酸、フルーツ酸、サリチル酸及びその配糖体・エステル化物等の誘導体、ヒドロキシカプリン酸、長鎖α−ヒドロキシ脂肪酸、長鎖α−ヒドロキシ脂肪酸コレステリル等のα−又はβ−ヒドロキシ酸類及びその誘導体類；γ−アミノ酪酸、γ−アミノ−β−ヒドロキシ酪酸；カルニチン；カルノシン；クレアチン；セラミド類、スフィンゴシン類；カフェイン、キサンチン等及びその誘導体；コエンザイムＱ１０、カロチン、リコピン、アスタキサンチン、ルテイン、α−リポ酸、白金ナノコロイド、フラーレン類等の抗酸化・活性酸素消去剤；カテキン類；ケルセチン等のフラボン類；イソフラボン類；没食子酸及びエステル糖誘導体；タンニン、セサミン、プロトアントシアニジン、クロロゲン酸、リンゴポリフェノール等のポリフェノール類；ルチン及び配糖体等の誘導体；ヘスペリジン及び配糖体等の誘導体；リグナン配糖体；グラブリジン、グラブレン、リクイリチン、イソリクイリチン等のカンゾウエキス関連物質；ラクトフェリン；ショウガオール、ジンゲロール；メントール、カンファー、セドロール等の香料物質及びその誘導体；カプサイシン、バニリン等及び誘導体；ジエチルトルアミド等の昆虫忌避剤；生理活性物質とシクロデキストリン類との複合体が好ましいものとして挙げられる。
【００４３】
植物・動物・微生物エキス類としては、アイリスエキス、アシタバエキス、アスナロエキス、アスパラガスエキス、アボガドエキス、アマチャエキス、アーモンドエキス、アルテアエキス、アルニカエキス、アロエエキス、アンズエキス、アンズ核エキス、イチョウエキス、インチコウエキス、ウイキョウエキス、ウコンエキス、ウーロン茶エキス、ウワウルシエキス、エイジツエキス、エチナシ葉エキス、エンメイソウエキス、オウゴンエキス、オウバクエキス、オウレンエキス、オオムギエキス、オタネニンジンエキス、オトギリソウエキス、オドリコソウエキス、オノニスエキス、オランダカラシエキス、オレンジエキス、海水乾燥物、海藻エキス、カキ葉エキス、カキョクエキス、加水分解エラスチン、加水分解コムギ末、加水分解シルク、カッコンエキス、カモミラエキス、油溶性カモミラエキス、カロットエキス、カワラヨモギエキス、カラスムギエキス、カルカデエキス、カンゾウエキス、油溶性カンゾウエキス、キウイエキス、キオウエキス、キクラゲエキス、キナエキス、キューカンバーエキス、キリ葉エキス、グアノシン、グアバエキス、クジンエキス、クチナシエキス、クマザサエキス、クララエキス、クルミエキス、クリエキス、グレープフルーツエキス、クレマティスエキス、黒米エキス、黒砂糖抽出物、黒酢、クロレラエキス、クワエキス、ゲンチアナエキス、ゲンノショウコエキス、紅茶エキス、酵母エキス、コウボクエキス、コーヒーエキス、ゴボウエキス、コメエキス、コメ発酵エキス、コメヌカ発酵エキス、コメ胚芽油、コンフリーエキス、コラーゲン、コケモモエキス、サイシンエキス、サイコエキス、サイタイ抽出液、サフランエキス、サルビアエキス、サボンソウエキス、ササエキス、サンザシエキス、サンシャエキス、サンショウエキス、シイタケエキス、ジオウエキス、シコンエキス、シソエキス、シナノキエキス、シモツケソウエキス、ジャトバエキス、シャクヤクエキス、ショウキュウエキス、ショウブ根エキス、シラカバエキス、白キクラゲエキス、スギナエキス、ステビアエキス、ステビア発酵物、西河柳エキス、セイヨウキズタエキス、セイヨウサンザシエキス、セイヨウニワトコエキス、セイヨウノコギリソウエキス、セイヨウハッカエキス、セージエキス、ゼニアオイエキス、センキュウエキス、センブリエキス、ソウハクヒエキス、ダイオウエキス、ダイズエキス、タイソウエキス、タイムエキス、タンポポエキス、地衣類エキス、茶エキス、チョウジエキス、チガヤエキス、チンピエキス、ティートリー油、甜茶エキス、トウガラシエキス、トウキエキス、トウキンセンカエキス、トウニンエキス、トウヒエキス、ドクダミエキス、トマトエキス、納豆エキス、ニンジンエキス、ニンニクエキス、ノバラエキス、ハイビスカスエキス、バクモンドウエキス、ハスエキス、パセリエキス、バーチエキス、蜂蜜、ハマメリスエキス、パリエタリアエキス、ヒキオコシエキス、ビサボロール、ヒノキエキス、ビフィズス菌エキス、ビワエキス、フキタンポポエキス、フキノトウエキス、ブクリョウエキス、ブッチャーブルームエキス、ブドウエキス、ブドウ種子エキス、プロポリス、ヘチマエキス、ベニバナエキス、ペパーミントエキス、ボダイジュエキス、ボタンエキス、ホップエキス、マイカイカエキス、マツエキス、マロニエエキス、ミズバショウエキス、ムクロジエキス、メリッサエキス、モズクエキス、モモエキス、ヤグルマギクエキス、ユーカリエキス、ユキノシタエキス、ユズエキス、ユリエキス、ヨクイニンエキス、ヨモギエキス、ラベンダーエキス、緑茶エキス、卵殻膜エキス、リンゴエキス、ルイボス茶エキス、レイシエキス、レタスエキス、レモンエキス、レンギョウエキス、レンゲソウエキス、ローズエキス、ローズマリーエキス、ローマカミツレエキス、ローヤルゼリーエキス、ワレモコウエキス等のエキスが好ましいものとして挙げられる。
【００４４】
鎮痒剤としては、塩酸ジフェンヒドラミン、マレイン酸クロルフェニラミン、カンファー、サブスタンス−Ｐ阻害剤等を例示することができる。角質剥離・溶解剤としては、サリチル酸、イオウ、レゾルシン、硫化セレン、ピリドキシン等を例示することができる。制汗剤としては、クロルヒドロキシアルミニウム、塩化アルミニウム、酸化亜鉛、パラフェノールスルホン酸亜鉛等を例示することができる。清涼剤としては、メントール、サリチル酸メチル等を例示することができる。収れん剤としては、クエン酸、酒石酸、乳酸、硫酸アルミニウム・カリウム、タンニン酸等を例示することができる。酵素類としては、スーパーオキサイドディスムターゼ、カタラーゼ、塩化リゾチーム、リパーゼ、パパイン、パンクレアチン、プロテアーゼ等を例示することができる。核酸類としては、リボ核酸及びその塩、デオキシリボ核酸及びその塩、アデノシン三リン酸二ナトリウムが好ましいものとして挙げられる。
【００４５】
香料としては、アセチルセドレン、アミルシンナムアルデヒド、アリルアミルグリコレート、β−イオノン、イソイースーパー、イソブチルキノリン、イリス油、イロン、インドール、イランイラン油、ウンデカナール、ウンデセナール、γ−ウンデカラクトン、エストラゴール、オイゲノール、オークモス、オポポナックスレジノイド、オレンジ油、オイゲノール、オーランチオール、ガラクソリッド、カルバクロール、Ｌ−カルボン、カンファー、キャノン、キャロットシード油、クローブ油、ケイヒ酸メチル、ゲラニオール、ゲラニルニトリル、酢酸イソボルニル、酢酸ゲラニル、酢酸ジメチルベンジルカルビニル、酢酸スチラリル、酢酸セドリル、酢酸テレピネル、酢酸p-t-ブチルシクロヘキシル、酢酸ベチベリル、酢酸ベンジル、酢酸リナリル、サリチル酸イソペンチル、サリチル酸ベンジル、サンダルウッド油、サンタロール、シクラメンアルデヒド、シクロペンタデカノリド、ジヒドロジャスモン酸メチル、ジヒドロミルセノール、ジャスミンアブソリュート、ジャスミンラクトン、cis-ジャスモン、シトラール、シトロネノール、シトロネラール、シナモンバーク油、１，８−シネオール、シンナムアルデヒド、スチラックスレジノイド、セダーウッド油、セドレン、セドロール、セロリシード油、タイム油、ダマスコン、ダマセノン、チモール、チュベローズアブソリュート、デカナール、デカラクトン、テルピネオール、γ−テルピネン、トリプラール、ネロール、ノナナール、２，６−ノナジエノール、ノナラクトン、パチョリアルコール、バニラアブソリュート、バニリン、バジル油、パチョリ油、ヒドロキシシトロネラール、α−ピネン、ピペリトン、フェネチルアルコール、フェニルアセトアルデヒド、プチグレン油、ヘキシルシンナムアルデヒド、cis-３-ヘキセノール、ペルーバルサム、ベチバー油、ベチベロール、ペパーミント油、ペパー油、ヘリオトロピン、ベルガモット油、ベンジルベンゾエート、ボルネオール、ミルレジノイド、ムスクケトン、メチルノニルアセトアルデヒド、γ−メチルヨノン、メントール、Ｌ−メントール、Ｌ−メントン、ユーカリ油、β−ヨノン、ライム油、ラベンダー油、Ｄ−リモネン、リナロール、リラール、リリアール、レモン油、ローズアブソリュート、ローズオキシド、ローズ油、ローズマリー油、各種精油等の合成香料及び天然香料並びに各種調合香料が好ましいものとして挙げられる。
【００４６】
色素・着色剤・染料・顔料としては、褐色２０１号、黒色４０１号、紫色２０１号、紫色４０１号、青色１号、青色２号、青色２０１号、青色２０２号、青色２０３号、青色２０４号、青色２０５号、青色４０３号、青色４０４号、緑色２０１号、緑色２０２号、緑色２０４号、緑色２０５号、緑色３号、緑色４０１号、緑色４０２号、赤色１０２号、赤色１０４−１号、赤色１０５−１号、赤色１０６号、赤色２号、赤色２０１号、赤色２０２号、赤色２０３号、赤色２０４号、赤色２０５号、赤色２０６号、赤色２０７号、赤色２０８号、赤色２１３号、赤色２１４号、赤色２１５号、赤色２１８号、赤色２１９号、赤色２２０号、赤色２２１号、赤色２２３号、赤色２２５号、赤色２２６号、赤色２２７号、赤色２２８号、赤色２３０−１号、赤色２３０−２号、赤色２３１号、赤色２３２号、赤色３号、赤色４０１号、赤色４０４号、赤色４０５号、赤色５０１号、赤色５０２号、赤色５０３号、赤色５０４号、赤色５０５号、赤色５０６号、橙色２０１号、橙色２０３号、橙色２０４号、橙色２０５号、橙色２０６号、橙色２０７号、橙色４０１号、橙色４０２号、橙色４０３号、黄色２０１号、黄色２０２−１号、黄色２０２−２号、黄色２０３号、黄色２０４号、黄色２０５号、黄色４号、黄色４０１号、黄色４０２号、黄色４０３−１号、黄色４０４号、黄色４０５号、黄色４０６号、黄色４０７号、黄色５号等の法定色素；Acid Red １４等のその他酸性染料；Arianor Sienna Brown、Arianor Madder Red、Arianor
Steel Blue、Arianor Straw Yellow等の塩基染料；HC Yellow ２、HC Yellow ５、HC Red ３、４-hydoxypropylamino-３-nitrophenol、N，N’-bis(２-hydroxyethyl)-２-nitro-p-
phenylenediamine、HC Blue ２、Basic Blue ２６等のニトロ染料；分散染料；二酸化チタン、酸化亜鉛等の無機白色顔料；酸化鉄(ベンガラ)、チタン酸鉄等の無機赤色系顔料；γ−酸化鉄等の無機褐色系顔料；黄酸化鉄、黄土等の無機黄色系顔料；黒酸化鉄、低次酸化チタン等の無機黒色系顔料；マンゴバイオレット、コバルトバイオレット等の無機紫色系顔料；酸化クロム、水酸化クロム、チタン酸コバルト等の無機緑色系顔料；群青、紺青等の無機青色系顔料；酸化チタンコーテッドマイカ、酸化チタンコーテッドオキシ塩化ビスマス、酸化チタンコーテッドタルク、着色酸化チタンコーテッドマイカ、オキシ塩化ビスマス、魚鱗箔等のパール顔料；アルミニウムパウダー、カッパーパウダー、金等の金属粉末顔料；表面処理無機及び金属粉末顔料；赤色２０１号、赤色２０２号、赤色２０４号、赤色２０５号、赤色２２０号、赤色２２６号、赤色２２８号、赤色４０５号、橙色２０３号、橙色２０４号、黄色２０５号、黄色４０１号、青色４０４号、赤色３号、赤色１０４号、赤色１０６号、赤色２２７号、赤色２３０号、赤色４０１号、赤色５０５号、橙色２０５号、黄色４号、黄色５号、黄色２０２号、黄色２０３号、緑色３号、青色１号等のジルコニウム、バリウム又はアルミニウムレーキ等の有機顔料；表面処理有機顔料；アスタキサンチン、アリザリン等のアントラキノン類、アントシアニジン、β−カロチン、カテナール、カプサンチン、カルコン、カルサミン、クエルセチン、クロシン、クロロフィル、クルクミン、コチニール、シコニン等のナフトキノン類、ビキシン、フラボン類、ベタシアニジン、ヘナ、ヘモグロビン、リコピン、リボフラビン、ルチン等の天然色素・染料；ｐ−フェニレンジアミン、トルエン−２，５−ジアミン、ｏ−，ｍ−，若しくはｐ−アミノフェノール、ｍ−フェニレンジアミン、５−アミノ−２−メチルフェノール、レゾルシン、１−ナフトール、２，６−ジアミノピリジン等及びその塩等の酸化染料中間体及びカップラー；インドリン等の自動酸化型染料；ジヒドロキシアセトンが好ましいものとして挙げられる。
【００４７】
水としては、常水、精製水の他、硬水、軟水、天然水、海洋深層水、電解アルカリイオン水、電解酸性イオン水、イオン水、クラスター水が好ましいものとして挙げられる。
【００４８】
これらの他、化粧品原料基準、化粧品種別配合成分規格、日本化粧品工業連合会成分表示名称リスト、ＩＮＣＩ辞書（The International Cosmetic Ingredient Dictionary and Handbook）、医薬部外品原料規格、日本薬局方、医薬品添加物規格、食品添加物公定書等に記載されている成分、及び、国際特許分類ＩＰＣがＡ６１Ｋ７及びＡ６１Ｋ８の分類に属する日本国及び諸外国特許公報及び特許公開公報（公表公報・再公表を含む）に記載されている成分等、公知の化粧料成分、医薬品成分、食品成分などを、公知の組み合わせ及び配合比・配合量で含有させることが可能である。
【００４９】
本発明の化粧料・皮膚外用剤の種類としては、毛髪用化粧料、基礎化粧料、メーキャップ化粧料、芳香化粧料、ボディ化粧料、軟膏等の皮膚外用剤が好ましいものとして挙げられる。本発明の化粧料・皮膚外用剤は、通常の方法に従って製造することができる。
【００５０】
本発明の化粧料・皮膚外用剤の種類を更に詳細に説明すると、毛髪用化粧料としては、オイルシャンプー、クリームシャンプー、コンディショニングシャンプー、ふけ用シャンプー、ヘアカラー用シャンプー、リンス一体型シャンプー等のシャンプー；リンス、トリートメント、ヘアパック、ヘアフォーム、ヘアムース、ヘアスプレー、ヘアミスト、ヘアワックス、ヘアジェル、ウォーターグリース、セットローション、カラーローション、ヘアトニック、ヘアリキッド、ポマード、チック、ヘアクリーム、ヘアブロー、枝毛コート、ヘアオイル、パーマネントウェーブ用剤、ストレートパーマ剤、酸化染毛剤、ヘアブリーチ、ヘアカラープレトリートメント、ヘアカラーアフタートリートメント、パーマプレトリートメント、パーマアフタートリートメント、ヘアマニキュア、育毛剤が好ましいものとして挙げられる。
【００５１】
基礎化粧料としては、柔軟化粧水、収れん化粧水、洗浄用化粧水、多層式化粧水等の化粧水；エモリエントローション、モイスチャーローション、ミルキィーローション、ナリシングローション、ナリシングミルク、スキンモイスチャー、モイスャーエマルション、マッサージローション、クレンジングローション、プロテクトエマルション、サンプロテクト、サンプロテクター、ＵＶケアミルク、サンスクリーン、メーキャップローション、角質スムーザー、エルボーローション、ハンドローション、ボディローション等の乳液；エモリエントクリーム、栄養クリーム、ナリシングクリーム、バニシングクリーム、モイスチャークリーム、ナイトクリーム、マッサージクリーム、クレンジングクリーム、メーキャップクリーム、ベースクリーム、プレメーキャップクリーム、サンスクリーンクリーム、サンタンクリーム、除毛クリーム、デオドラントクリーム、シェービングクリーム、角質軟化クリーム等のクリーム；モイスチャージェル等のジェル；保湿エッセンス、美白エッセンス、紫外線防止エッセンス等のエッセンス；リポソーム美容液、リポソーム化粧水等のリポソーム化粧品類；ピールオフパック、粉末パック、ウォッシングパック、オイルパック、クレンジングマスク等のパック・マスク類；クレンジングフォーム、クレンジングクリーム、クレンジングミルク、クレンジングローション、クレンジングジェル、クレンジングオイル、クレンジングマスク、洗粉、洗顔パウダー等の洗顔料；化粧石鹸、透明石鹸、薬用石鹸、液状石鹸、ひげそり石鹸、合成化粧石鹸等の石鹸が好ましいものとして挙げられる。
【００５２】
メーキャップ化粧料としては、白粉・打粉類、ファンデーション類、口紅類、リップグロス、頬紅類、アイライナー、マスカラ、アイシャドー、眉墨、アイブロー、ネイルエナメル、エナメルリムーバー、ネイルトリートメントが好ましいものとして挙げられる。
【００５３】
芳香化粧料としては、香水、パフューム、パルファム、オードパルファム、オードトワレ、オーデコロン、練香水、芳香パウダー、香水石鹸、ボディローション、バスオイルが好ましいものとして挙げられる。
【００５４】
ボディ化粧料としては、ボディシャンプー等のボディ洗浄料；デオドラントローション、デオドラントパウダー、デオドラントスプレー、デオドラントスティック等の防臭化粧料；脱色剤、脱毛・除毛剤；浴用剤；虫よけスプレー等のインセクトリペラーが好ましいものとして挙げられる。
【００５５】
また、皮膚外用剤としては、軟膏剤、貼付剤、ローション剤、リニメント剤、液状塗布剤などの剤型で用いることができる。また、歯磨き、マウスウォッシュ等の口腔内化粧料としても用いることが出来る。
【００５６】
本発明の化粧料又は皮膚外用剤の剤型としては、水中油（Ｏ／Ｗ）型、油中水（Ｗ／Ｏ）型、Ｗ／Ｏ／Ｗ型、Ｏ／Ｗ／Ｏ型等の乳化型化粧料、油性化粧料、固形化粧料、液状化粧料、練状化粧料、スティック状化粧料、揮発性油型化粧料、粉状化粧料、ゼリー状化粧料、ジェル状化粧料、ペースト状化粧料、乳化高分子型化粧料、シート状化粧料、ミスト状化粧料、スプレー型化粧料等の剤型が好ましいものとして挙げられる。
【実施例】
【００５７】
以下、本技術につき実施例を用いてより詳細に説明するが、本技術はこれら実施例に限定されるものでない。
【００５８】
実施例１
攪拌機、温度計、ガス導入管を備えた５００ｍＬの反応器に、セバシン酸（小倉合成工業、セバシン酸）７５ｇ（０．３７モル）、グリセリン（小倉合成工業、精製グリセリン）４７．８ｇ（０．５２モル）、水酸基価から算出した平均重合度が１０のポリグリセリン（青木油脂工業、グリサーフ１０）１６７．１ｇ（０．２３モル）を仕込み、窒素気流中２１０℃〜２２０℃に加熱し、生成する水を留去しながら１０時間エステル化反応を行い、常温で粘性液状のオリゴマーエステルを２５８．４ｇ得た。得られたオリゴマーエステルの酸価は０．５であった。得られたオリゴマーエステル６０ｇに水３９．８ｇ、ｐ−ヒドロキシ安息香酸メチル０．２ｇを加え、撹拌、混合することにより、実施例組成物１を１００ｇ得た。また、得られたオリゴマーエステル６０ｇにグリセリン４０ｇを加え、撹拌、混合することにより、実施例組成物２を１００ｇ得た。
【００５９】
実施例２  
攪拌機、温度計、ガス導入管を備えた５００ｍＬの反応器にセバシン酸（小倉合成工業、セバシン酸）９０ｇ（０．３７モル）、グリセリン（小倉合成工業、精製グリセリン）６５．６ｇ（０．７１モル）、水酸基価から算出した平均重合度が１０のポリグリセリン（青木油脂工業、グリサーフ１０）１３３．７ｇ（０．１７モル）を仕込み、窒素気流中２１０℃〜２２０℃に加熱し、水を留去しながら１０時間エステル化反応を行い、常温で粘性液状のオリゴマーエステルを２４９．６ｇ得た。得られたオリゴマーエステルの酸価は０．６であった。
【００６０】
比較例１
攪拌機、温度計、ガス導入管を備えた５００ｍＬの反応器にセバシン酸（小倉合成工業、セバシン酸）７０ｇ（０．２１モル）、水酸基価から算出した平均重合度が１０のポリグリセリン（青木油脂工業、グリサーフ１０）２２５ｇ（０．３モル）を仕込み、窒素気流中２１０℃〜２２０℃に加熱し、水を留去しながら１０時間エステル化反応を行い、常温で固形状のオリゴマーエステルを２５６．７ｇ得た。得られたオリゴマーエステルの酸価は０．６であった。
【００６１】
比較例２
攪拌機、温度計、ガス導入管を備えた１Ｌの反応器に、水酸基価から算出した平均重合度が１０のポリグリセリン９０％水溶液（阪本薬品工業社製、ポリグリセリン＃７５０）２９２ｇ（０．３５モル）を仕込み、減圧脱水後、エイコサン二酸（岡村製油社製、ＳＬ−２０）７１．８ｇ（０．２１モル）、テトラデカン二酸（コグニス社製、ＥＭＥＲＯＸ１１４）３６．１ｇ（０．１４モル）を仕込み、窒素気流中２１０〜２２０℃に加熱し、生成する水を留去しながら２４時間エステル化反応を行い、常温で固形状のオリゴマーエステルを３４１ｇ得た。得られたオリゴマーエステルの酸価は０．２であった。
【００６２】
実施例３
得られたオリゴマーエステルの潤滑性能を次の方法で評価した。
（潤滑性能評価方法）
社団法人石油学会の潤滑油の耐摩耗性試験方法(シェル四球式)  ＪＰＩ−５Ｓ−３２−９０に準じて、次の条件で試験を行い、摩擦係数、トルクを測定してその平均値を算出した。
機器      ：  シェル四球型摩擦試験機（高千穂精機株式会社）  
荷重      ：  ３０ｋｇｆ
回転速度  ：  １，０００ｒｐｍ
総回転数  ：  １０，０００回転
温度      ：  室温
測定濃度  ：  ３％水溶液
得られた結果を表１に示した。
【表１】
2009073932.tif 000002
表１の結果からわかるように、本発明の化合物は比較例に示された化合物よりも摩擦係数及びトルクが小さく、潤滑性能に優れることが見出された。
【００６３】
更に、本発明のオリゴマーエステルを配合した潤滑組成物、及び、化粧品又は皮膚外用剤の例を次に示した。
【００６４】
実施例４  金属加工潤滑液
成分                                        配合量（重量％）
１  実施例１のオリゴマーエステル                  ３０．０
２  イソノナン酸                                    ５．０
３  トリエタノールアミン                          １０．０
４  防腐剤                                          ０．１
５  水                                      合計で１００となる量
（調製方法）
Ｎｏ．１〜２を約８０℃に加温し、均一に溶解させた（Ａ部）。次にＮｏ．３〜５を約８０℃に加温し、均一に溶解させた（Ｂ部）。Ｂ部にＡ部を撹拌しながら加え、均一にした後、冷却した。
【００６５】
実施例５  水溶性クーラント液
成分                                        配合量（重量％）
１  実施例１のオリゴマーエステル                  １５．０
２  カプリル酸                                      ５．０
３  炭酸ナトリウム                                １０．０
４  メタホウ酸ナトリウム                            １．０
５  防腐剤                                          ０．１
６  水                                      合計で１００となる量
（調製方法）
Ｎｏ．１〜２を約８０℃に加温し、均一に溶解させた（Ａ部）。次にＮｏ．３〜６を約８０℃に加温し、均一に溶解させた（Ｂ部）。Ｂ部にＡ部を撹拌しながら加え、均一にした後、冷却した。
【００６６】
実施例６  油圧作動液
成分                                        配合量（重量％）
１  実施例２のオリゴマーエステル                  ４０．０
２  ポリエチレングリコール                        １０．０
３  エチレングリコール                            １０．０
４  グリセリン                                    １０．０
５  防錆剤                                          １．０
６  防腐剤                                          ０．１
７  シリコン消泡剤                                  ０．１
８  水                                      合計で１００となる量
（調製方法）
Ｎｏ．１〜８を約７０℃に加温し、均一に溶解させた後、冷却した。
【００６７】
実施例７  油圧作動液
成分                                        配合量（重量％）
１  実施例１の実施例組成物１                      ４０．０
２  エチレンオキサイドとプロピレンオキサイドのランダム共重合体（ＥＯ／ＰＯ＝３０／７０）                                          ２０．０
３  グリセリン                                    １０．０
４  防錆剤                                          １．０
５  防腐剤                                          ０．１
６  シリコン消泡剤                                  ０．１
７  水                                      合計で１００となる量
（調製方法）
Ｎｏ．１〜７を約７０℃に加温し、均一に溶解させた後、冷却した。
【００６８】
実施例８  水溶性潤滑液
成分                                        配合量（重量％）
１  実施例１の実施例組成物１                      ３０．０
２  オレイン酸                                      ５．０
３  オレイン酸アミド                                １．０
４  トリエタノールアミン                            １．０
５  水酸化カリウム                                  １．０
６  防腐剤                                          ０．１
７  水                                      合計で１００となる量
（調製方法）
Ｎｏ．１〜３を約８０℃に加温し、均一に溶解させた（Ａ部）。次にＮｏ．４〜７を約８０℃に加温し、均一に溶解させた（Ｂ部）。Ｂ部にＡ部を撹拌しながら加え、均一にした後、冷却した。
【００６９】
実施例９  水溶性潤滑液
成分                                        配合量（重量％）
１  実施例１の実施例組成物１                      ３０．０
２  エチレンオキサイドとプロピレンオキサイドのランダム共重合体（ＥＯ／ＰＯ＝７５／２５）                                          １５．０
３  オレイン酸                                      ５．０
４  トリエタノールアミン                            ５．０
５  防腐剤                                          ０．１
６  水                                      合計で１００となる量
（調製方法）
Ｎｏ．１〜３を約８０℃に加温し、均一に溶解させた（Ａ部）。次にＮｏ．４〜６を約８０℃に加温し、均一に溶解させた（Ｂ部）。Ｂ部にＡ部を撹拌しながら加え、均一にした後、冷却した。
【００７０】
実施例１０  防錆潤滑液
成分                                        配合量（重量％）
１  実施例１の実施例組成物２                      ２０．０
２  オレイン酸                                      ５．０
３  ジエタノールアミン                              ５．０
４  トリイソステアリン酸グリセリル                  １．０
５  防腐剤                                          ０．１
６  ＥＤＴＡ４Ｎａ                                  ２．０
７  水                                      合計で１００となる量
（調製方法）
Ｎｏ．１〜２、４を約８０℃に加温し、均一に溶解させた（Ａ部）。次にＮｏ．３、５〜７を約８０℃に加温し、均一に溶解させた（Ｂ部）。Ｂ部にＡ部を撹拌しながら加え、均一にした後、冷却した。
【００７１】
実施例１１  食器、医療機器・器具用防錆潤滑液
成分                                        配合量（重量％）
１  実施例１のオリゴマーエステル                  ２０．０
２  プロピレングリコール                          ４０．０
３  グリセリン                                    １０．０
４  エタノール                                      ５．０
５  水                                      合計で１００となる量
（調製方法）
Ｎｏ．１〜５を約７０℃に加温し、均一に溶解させた後、冷却した。
【００７２】
実施例１２  熱処理液
成分                                        配合量（重量％）
１  実施例２のオリゴマーエステル                  ２５．０
２  ポリエチレングリコール                        １０．０
３  グリセリン                                    １０．０
４  防腐剤                                          ０．１
５  水                                      合計で１００となる量
（調製方法）
Ｎｏ．１〜５を約７０℃に加温し、均一に溶解させた後、冷却した。
これらの潤滑組成物はいずれも安全性、潤滑性、冷却性に優れるものであった。  
【００７３】
実施例１３、１４  化粧水
本発明の実施例１、２で得られたオリゴマーエステル、及び、比較例１で得られたオリゴマーエステルを用いて表２の組成の化粧水を調製し、皮膚に塗布したときのべたつきの無さをパネラー１０名で評価した。
（調製方法）
Ｎｏ．１〜９の成分をＮｏ．１０に攪拌しながら加え、均一にする。
【表２】
2009073932.tif 000003
（結果）
結果を表２に示した。なお、表中◎は１０名中８名以上が良好と回答、○は１０名中６〜７名が良好と回答、△は１０名中４〜５名が良好と回答、×は１０名中３名以下が良好と回答したことを示す。結果より、本発明品を配合した化粧水は比較例１のオリゴマーエステルを配合したもの、未配合のものよりもべたつきが無く、優れた感触であることがわかった。
【００７４】
実施例１５、１６  スキンケアクリーム
本発明の実施例１、２で得られたオリゴマーエステル、及び、比較例１で得られたオリゴマーエステルを用いて表３の組成のクリームを調製し、皮膚に塗布したときのべたつきの無さをパネラー１０名で評価した。
（調製方法）
Ｎｏ．１〜３、Ｎｏ．１２〜１７を約８０℃に加温し、均一に溶解させた（Ａ部）。次に、Ｎｏ．４〜１１を約８０℃に加温し、均一に溶解させた（Ｂ部）。Ｂ部にＡ部を撹拌しながら加え、均一にした後、冷却した。
【表３】
2009073932.tif 000004
（結果）
結果を表３に示した。なお、表中◎は１０名中８名以上が良好と回答、○は１０名中６〜７名が良好と回答、△は１０名中４〜５名が良好と回答、×は１０名中３名以下が良好と回答したことを示す。結果より、本発明品を配合した化粧水は比較例１のオリゴマーエステルを配合したもの、未配合のものよりもべたつきが無く、優れた感触であることがわかった。
【００７５】
実施例１７  化粧水
下記処方の化粧水を調製した。この化粧水は、べとつかず、しっとり感を付与し肌へのなじみ感が優れているものであった。
成        分                          配合量（重量％）
−−−−−−−−−−−−−−−−−−−−−−−−−−−−−−−−−
１    実施例２のオリゴマーエステル                  ２.００
２    ＢＧ                                          １.００
３    グリセリン                                    ２.００
４    クエン酸                                      ０.０１
５    クエン酸Ｎａ                                  ０.１０
６    アルギニン                                    ０.１０
７    グリチルリチン酸２Ｋ                          ０.０５
８    エタノール                                    ７.００
９    防腐剤                                          適量
１０  香料                                            微量
１１  精製水                               合計で１００となる量
−−−−−−−−−−−−−−−−−−−−−−−−−−−−−−−−−
（調製方法）
Ｎｏ．１〜６をＮｏ．１１に加え、均一に攪拌混合させた（Ａ部）。次にＮｏ．９〜１０をＮｏ．８に溶解した後、Ｎｏ．７を加え分散させた（Ｂ部）。Ｂ部にＡ部を攪拌しながら加え、均一にした。
【００７６】
実施例１８  美容液
下記処方の美容液を調製した。この美容液は、皮膚を柔軟にし、みずみずしくなめらかなうるおいのある肌を保ちながら、つるっとした感触のものであった。
成        分                            配合量（重量％）
−−−−−−−−−−−−−−−−−−−−−−−−−−−−−−−−−−−
Ａ部
実施例１のオリゴマーエステル                        ２.００
防腐剤                                                適量
ＰＥＧ−４０水添ヒマシ油                            ０.２０
精製水                                              ５.００
Ｂ部
キサンタンガム                                      ０.４０
カルボマー                                          ０.１０
ＢＧ                                              １０.００
シロキクラゲ多糖体（日本精化）                      ０.１０
精製水                                      合計で１００となる量
Ｃ部
水酸化Ｋ（１％水溶液）                              ２.５０
精製水                                            １０.００
Ｄ部
グリチルリチン酸２Ｋ                                ０.２０
精製水                                              ５.００
−−−−−−−−−−−−−−−−−−−−−−−−−−−−−−−−−−−
（製造方法）
Ａ〜Ｄ部をそれぞれ常温で溶解させた。Ｃ部をＢ部に攪拌しながら徐々に加え粘稠性液体とし、ついでＡ部、Ｄ部を加え攪拌し、均一とした。
【００７７】
実施例１９  シャンプー
下記処方のシャンプーを調製した。このシャンプーは、毛髪にしっとり感、なめらかな指通りを付与することができるものであった。
成        分                          配合量（重量％）
−−−−−−−−−−−−−−−−−−−−−−−−−−−−−−−−−
１   実施例２のオリゴマーエステル                  ２.００
２   コカミドプロピルベタイン（４０％）          ４０.００
３   ココイルグルタミン酸ＴＥＡ（２７％）        １０.００
４   テトラデセンスルホン酸Ｎａ（３６％）          ２.００
５   ＰＥＧ１２０−メチルグルコースジオレエート    ３.００
６   トリエタノールアミン                          ０.２０
７   メチルイソチアゾリンオン                      ０.０１
８   精製水                                合計で１００となる量
−−−−−−−−−−−−−−−−−−−−−−−−−−−−−−−−−
（調製方法）
Ｎｏ．１〜５を約８０℃に加温し、均一に溶解させた（Ａ部）。次にＮｏ．６〜８を約８０℃に加温し、均一に溶解させた（Ｂ部）。Ａ部にＢ部を加え均一になるまで約８０℃で撹拌混合し、その後冷却した。
【００７８】
実施例２０  シャンプー
下記処方のシャンプーを調製した。このシャンプーは、毛髪にしっとり感、なめらかな指通りを付与することができるものであった。
成        分                          配合量（重量％）
−−−−−−−−−−−−−−−−−−−−−−−−−−−−−−−−−
１    実施例１のオリゴマーエステル                  １.００
２    コカミドプロピルベタイン（３０％）    
３０.００
３    ラウレス硫酸Ｎａ（２５％）              
１４.００
４    ラウリル硫酸Ｎａ                  
１.００
５    コカミドＤＥＡ                                １.００
６    メチルパラベン                                ０.２０
７    フェノキシエタノール                          ０.８０
８    ポリクオタニウム−１０                        ０.６０
９    クエン酸                                      ０.０５
１０  精製水                                合計で１００となる量
−−−−−−−−−−−−−−−−−−−−−−−−−−−−−−−−−
（調製方法）
Ｎｏ．１〜７を約７０℃に加温し、均一に溶解させた（Ａ部）。次にＮｏ．８、Ｎｏ．１０を約７０℃に加温し、均一に溶解させた（Ｂ部）。Ａ部にＢ部を加え均一に混合し、その後冷却した。さらに、Ｎｏ．９を加え、均一に混合した。
【００７９】
実施例２１  トリートメント
下記処方のトリートメントを調製した。このトリートメントは、毛髪にしっとり感、なめらかな指通りを付与することができるものであった。
成        分                          配合量（重量％）
−−−−−−−−−−−−−−−−−−−−−−−−−−−−−−−−−
１    セタノール                                    ８.００
２    オレイルアルコール                            １.００
３    ジメチコン（１００ｃｓ）                      １.００
４    ステアリン酸グリセリル                        １.００
５    Ｐｌａｎｄｏｏｌ−Ｈ（日本精化製）            １.００
６    メチルパラベン                                ０.２０
７    実施例１のオリゴマーエステル                  １.００
８    ベヘントリモニウムクロリド                    ２.４０
９    ヒドロキシエチルセルロース                    ０.４０
１０  精製水                                合計で１００となる量
−−−−−−−−−−−−−−−−−−−−−−−−−−−−−−−−−
（調製方法）
Ｎｏ．１〜８を約７０℃に加温し、均一に溶解させた（Ａ部）。次にＮｏ．９〜１０を約７０℃に加温し、均一に溶解させた（Ｂ部）。Ａ部にＢ部を加え均一に撹拌混合し、その後室温まで冷却した。
【００８０】
実施例２２  スタイリングジェル
下記処方のスタイリングジェルを調製した。このスタイリングジェルは、毛髪に塗布すると、べたつかず、動いてもばらけず、密着性が高いため毛束感があり、ヘアスタイルの持続性に優れるものであった。
成        分                                  配合量（重量％）
−−−−−−−−−−−−−−−−−−−−−−−−−−−−−−−−−−−−−−
１    ＳＴＲＵＣＴＵＲＥ  ２００１（日本エヌエスシー社製）  ５.００
２    ＴＥＡ（５０％）                                      ３.５０
３    ＡＭＰＨＯＭＥＲ  ＳＨ３０（日本エヌエスシー社製）    ３.００
４    エタノール（９５％）                                  ３.００
５    メチルイソチアゾリンオン                              ０.０１
６    実施例１のオリゴマーエステル                          ２.００
７    グリコール酸                                            適量
８    ＴＥＡ                                                  適量
９    精製水                                        合計で１００となる量
−−−−−−−−−−−−−−−−−−−−−−−−−−−−−−−−−−−−−−
（調製方法）
Ｎｏ．９にＮｏ．６を加温溶解させ、次いでＮｏ．２、Ｎｏ．５を溶解させる（Ａ部）。Ａ部にＮｏ．１を徐々に加え、均一に混合させる（Ｂ部）。Ｎｏ．３をＮｏ．４に溶解させ、４０℃に冷却したＢ部に混合しながら徐々に加え、均一に溶解させる。Ｎｏ．７又はＮｏ．８でｐＨを７．０〜７．５に調整する。
【００８１】
実施例２３  エモリエントクリーム
下記処方のエモリエントクリームを調製した。このエモリエントクリームは、しっとり感を付与する効果に優れるクリームであった。
成        分                          配合量（重量％）
−−−−−−−−−−−−−−−−−−−−−−−−−−−−−−−−−
１    実施例１のオリゴマーエステル                  ２.００
２    水添パーム油                                  ２.５０
３    ベヘニルアルコール                            ２.００
４    ジメチコン（１０ｃｓ）                        １.５０
５    ステアリン酸グリセリル                        １.５０
６    ステアリルアルコール                          １.２０
７    ステアリン酸ＰＧ（ＳＥ）                      １.００
８    イソステアリン酸ＰＥＧ−６０グリセリル        １.００
９    メトキシケイヒ酸オクチル                      ０.２０
１０  エチルパラベン                                ０.１０
１１  ＢＧ                                          ６.００
１２  グリセリン                                    １.００
１３  フェノキシエタノール                          ０.２０
１４  メチルパラベン                                ０.１５
１５  精製水                                合計で１００となる量
−−−−−−−−−−−−−−−−−−−−−−−−−−−−−−−−−
（調製方法）
Ｎｏ．１〜１０を加え、約８０℃に加温し、溶解させた（Ａ部）。別容器にＮｏ．１１〜１５をとり、約８０℃に加温し、均一に溶解させた（Ｂ部）。Ａ部にＢ部を加え、ホモミキサーにて乳化させた後、４０℃まで冷却した。
【００８２】
実施例２４  サンスクリーン剤
下記処方のサンスクリーン剤を調製した。このサンスクリーン剤は、汗などによるくずれを抑え、また、しっとり感を有するクリームであった。
成        分                          配合量（重量％）
−−−−−−−−−−−−−−−−−−−−−−−−−−−−−−−−−
１    実施例１のオリゴマーエステル              
１１.７０
２    スクワラン                                 ２２.５０
３    ＬＵＳＰＬＡＮ  ＰＩ−ＤＡ（日本精化）      ２.７０
４    マイクロクリスタリンワックス                ２.７０
５    ジステアリン酸Ａｌ                          １.６０
６    ステアリン酸Ｍｇ                            １.６０
７    ＢＧ                                        ５.００
８    ベヘニルアルコール                          ４.８０
９    Ｃｏｍｐｏｓｉｔｅ−ＰＣ（日本精化）        １.００
１０  コレステロール                              ０.８０
１１  プロピルパラベン                            ０.２０
１２  メチルパラベン                              ０.２０
１３  酸化チタン                                  ９.００
１４  硫酸Ｍｇ                                    ０.５０
１５  精製水                              合計で１００となる量
−−−−−−−−−−−−−−−−−−−−−−−−−−−−−−−−−
（調製方法）
Ｎｏ．１３にＮｏ．１、２の一部、Ｎｏ．３を加え、ミルで練った（Ａ部）。別容器にＮｏ．２の残り、Ｎｏ．４〜６を加え、約１５０℃に加温、溶解させた（Ｂ部）。別容器にＮｏ．１の残り、Ｎｏ．７〜１２を加え、約８０℃に加温、溶解させた（Ｃ部）。別容器にＮｏ．１４、１５を加え、約８０℃に加温、溶解させた（Ｄ部）。Ｂ部にＣ部を加え、混合した後Ａ部に加えて均一に混合した。次いで、Ｄ部を加え、攪拌し、乳化後４０℃まで冷却した。
【００８３】
実施例２５  下地クリーム
下記処方の下地クリームを調製した。この下地クリームは、伸びが良く、ファンデーションのつき、もちが良く、さらっとした感触が付与できる下地クリームであった。
成        分                          配合量（重量％）
−−−−−−−−−−−−−−−−−−−−−−−−−−−−−−−−−
１    実施例２のオリゴマーエステル                ５.００
２    シクロメチコン                            １５.００
３    トリメチルシロキシケイ酸                    ３.００
４    ステアリン酸グリセリル（ＳＥ）              ２.００
５    ステアリン酸ＰＧ（ＳＥ）                    ２.００
６    マカデミアナッツ脂肪酸フィトステリル        ２.００
７    ステアリン酸                                ０.５０
８    パルミチン酸                                ０.５０
９    メトキシケイヒ酸オクチル                    ０.５０
１０  トコフェロール                              ０.２０
１１  ＢＧ                                      １０.００
１２  マイカ                                      ８.００
１３  タルク                                      ７.００
１４  フェノキシエタノール                        ０.８０
１５  チタン酸（Ｌｉ／コバルト）                  ０.２０
１６  キサンタンガム（１０％）                    ２.００
１７  セルロースガム（１０％）                    ２.００
１８  精製水                              合計で１００となる量
−−−−−−−−−−−−−−−−−−−−−−−−−−−−−−−−−
（調製方法）
Ｎｏ．１６、１７をそれぞれＮｏ．１８の一部に溶かし粘性の液とした（Ａ部）。別容器にＮｏ．１〜１０を加え、約８０℃に加温、溶解させた（Ｂ部）。別容器にＮｏ．１１〜１５、Ｎｏ．１８の残りを加え、約８０℃に加温、溶解させた（Ｃ部）。Ｂ部にＣ部を加え、乳化させた後、Ａ部を加え、均一に混合した。攪拌後４０℃まで冷却した。
【００８４】
実施例２６  ファンデーション
下記処方のファンデーションを調製した。このファンデーションは、発色性に優れ、しっとりした感触を有するものであった。
成        分                          配合量（重量％）
−−−−−−−−−−−−−−−−−−−−−−−−−−−−−−−−−
１    実施例１のオリゴマーエステル                ６.００
２    シクロメチコン                              ３.５０
３    ジメチコン（５ｃｓ）                        ２.００
４    トリメチルシロキシケイ酸                    １.５０
５    メトキシケイヒ酸オクチル                    １.００
６    フェノキシエタノール                        ０.４０
７    トコフェロール                              ０.１０
８    マイカ                                    ３９.６０
９    タルク                                    ２４.００
１０  酸化チタン                            
２０.００
１１  酸化鉄                                      １.９０
−−−−−−−−−−−−−−−−−−−−−−−−−−−−−−−−−
（調製方法）
各成分を高速攪拌し、均一に混合した。
【００８５】
実施例２７  口紅
下記処方の口紅を調製した。この口紅は、みずみずしく、密着性の高い口紅であった。
成        分                          配合量（重量％）
−−−−−−−−−−−−−−−−−−−−−−−−−−−−−−−−−
１    実施例１のオリゴマーエステル                １.００
２    オクタン酸セチル                    
２２.５０
３    トリオクタノイン                    
２８.５０
４    シクロメチコン                      
１６.００
５    セレシン                                    ９.００
６    キャンデリラロウ                            ５.００
７    ＬＵＳＰＬＡＮ  ＰＩ−ＤＡ（日本精化）      ５.００
８    セスキイソステアリン酸ソルビタン            ４.００
９    マカデミアナッツ油                          １.００
１０  トコフェロール                              ０.５０
１１  酸化鉄                                      ２.２５
１２  酸化チタン                                  ２.２５
１３  マイカ                                      １.５０
１４  赤２０２                                    １.５０
−−−−−−−−−−−−−−−−−−−−−−−−−−−−−−−−−
（調製方法）
Ｎｏ．１１〜１４をＮｏ．１、２で混練した（Ａ部）。別容器にＮｏ．３〜１０を加え、約８０℃に加温、溶解させた（Ｂ部）。約８０℃でＢ部にＡ部を加え、溶解後、急冷した。
【００８６】
実施例２８  リップグロス
下記処方のリップグロスを調製した。このリップグロスは、みずみずしく、密着性の高いものであった。
成        分                          配合量（重量％）
−−−−−−−−−−−−−−−−−−−−−−−−−−−−−−−−−
１    実施例１のオリゴマーエステル                ２.００
２    パルミチン酸デキストリン              
１０.００
３    マカデミアナッツ油脂肪酸フィトステリル
４３.００
４    メチルフェニルポリシロキサン          
３０.００
５    トリオクタノイン                      
１０.００
６    流動パラフィン                              ５.００
−−−−−−−−−−−−−−−−−−−−−−−−−−−−−−−−−
（調製方法）
Ｎｏ．１、２を１００〜１１０℃に加温して均一に溶解させた。次に、Ｎｏ．３〜６を加え、約８０℃で均一に溶解させた。
【００８７】
実施例２９  クレンジングオイル
下記処方のクレンジングオイルを調製した。このクレンジングオイルは、感触がさっぱりしており、ファンデーション、メイク等となじみも良く、これらを素早く落とすことができるものであった。
成        分                          配合量（重量％）
−−−−−−−−−−−−−−−−−−−−−−−−−−−−−−−−−
１    実施例１のオリゴマーエステル                １.００
２    ラウレス−４                                ７.００
３    トコフェロール                                適量
４    プロピルパラベン                              適量
５    オクタン酸セチル                    合計で１００となる量
６    ミネラルオイル                            １０.００
−−−−−−−−−−−−−−−−−−−−−−−−−−−−−−−−−
（調製方法）
全成分を加熱溶解、混合した。
【００８８】
実施例３０  マスカラ
下記処方のマスカラを製造した。このマスカラは、付着性が良く、良好な使用感を有し、また、安定性も良好であった。
成        分                          配合量（重量％）
−−−−−−−−−−−−−−−−−−−−−−−−−−−−−−−−−−
１    酸化鉄（黒）                            
１０.００
２    軽質イソパラフィン                      
３０.００
３    ポリアクリル酸エステルエマルション      
３０.００
４    固型パラフィン                              ８.００
５    実施例２のオリゴマーエステル                １.２０
６    セスキオレイン酸ソルビタン                  ４.００
７    防腐剤                                        適量
８    香料                                          適量
９    精製水                              合計で１００となる量
−−−−−−−−−−−−−−−−−−−−−−−−−−−−−−−−−−
（調製方法）
Ｎｏ．９にＮｏ．１を加えホモミキサーで分散したのち、Ｎｏ．３を加え加熱して７０℃に保った（水相）。他の成分を混合し、加熱して７０℃に保った（油相）。油相に水相を加えホモミキサーで均一に乳化分散して目的のマスカラを得た。
【００８９】
実施例３１  アイシャドウ
下記処方のアイシャドウを製造した。このアイシャドウは、付着性が良く、良好な使用感を有し、また、乳化安定性も良好であった。
成        分                          配合量（重量％）
−−−−−−−−−−−−−−−−−−−−−−−−−−−−−−−−−−
１    タルク                                        
１０.００
２    カオリン                                        ２.００
３    顔科                                            ５.００
４    実施例１のオリゴマーエステル                    ３.００
５    ステアリン酸                                    ３.００
６    ミリスチン酸イソプロピル                        ５.００
７    流動パラフィン                                  ５.００
８    モノラウリン酸プロピレングリコール              ３.００
９    酸化防止剤                                        適量
１０  香科                                              適量
１１  ＢＧ                                            ５.００
１２  グリセリン                                      １.００
１３  防腐剤                                            適量
１４  トリエタノールアミン                            １.２０
１５  金属イオン封鎖剤                                  適量
１６  精製水                                  合計で１００となる量
−−−−−−−−−−−−−−−−−−−−−−−−−−−−−−−−−−
（調製方法）
Ｎｏ．１〜３をブレンダーで混合後、粉砕器で処理した（粉体部）。Ｎｏ．１１〜１６を７０〜７５℃で加熱溶解させた（水相部）。Ｎｏ．４〜１０を７０〜８０℃で加熱溶解させた（油相部）。粉体部を水相部に加え、撹拌混合した。これに油相部を撹拌しながら加え、ホモミキサーにより分散、室温まで撹拌冷却し、目的のアイシャドウを得た。
【００９０】
実施例３２  ストレートパーマ剤（カチオンタイプ）
下記処方のストレートパーマ剤（カチオンタイプ）の１液、２液を調製した。このストレートパーマ液は、毛髪に対する密着性が高く、セット力があるため、ストレートパーマをしっかりかけることができるストレートパーマ液であった。
（１液）
成        分                              配合量（重量％）
−−−−−−−−−−−−−−−−−−−−−−−−−−−−−−−−−−−−−
１    実施例１のオリゴマーエステル                      ０.５０
２    セタノール                                        ５.００
３    ステアルトリモニウムクロリド（６３％）            ２.４０
４    セテス−２０                                      ２.４０
５    ＴＲＩＢＥＨＥＮＩＮ  ＰＥＧ−２０  ＥＳＴＥＲＳ  ２.００
６    セテス−６                                        ０.８０
７    ラウラミドＭＩＰＡ                                ０.８０
８    ＰＥＧ−６０水添ヒマシ油                          ０.４０
９    チオグリコール酸アンモニウム液（５０％）        １３.５０
１０  モノエタノールアミン                              １.７０
１１  ポリクオタニウム−６                              １.３０
１２  加水分解ダイズタンパク                            １.００
１３  ＥＤＴＡ−４Ｎａ                                  ０.１０
１４  アンモニア水（２８％）                            １.１０
１５  精製水                                    合計で１００となる量
−−−−−−−−−−−−−−−−−−−−−−−−−−−−−−−−−−−−−
（調製方法）
Ｎｏ．１５の大部分を約８０℃に加温した（Ａ部）。別容器にＮｏ．１〜８を加え加温し、溶解させた（Ｂ部）。別容器にＮｏ．１５の残り、Ｎｏ．９〜１３を加え、均一に溶解させた（Ｃ部）。Ａ部にＢ部を加え、混合攪拌し、約４５℃付近でＣ部を加え、均一に混合した。室温まで冷却した後、Ｎｏ．１４を加えた。
（２液）
成        分                              配合量（重量％）
−−−−−−−−−−−−−−−−−−−−−−−−−−−−−−−−−−−−−
１    実施例１のオリゴマーエステル                      ２.００
２    セタノール                                        ５.００
３    エマコール  ＶＴ−２０（山栄化学）                ５.００
４    ジメチコン（２００ｃｓ）                          ２.００
５    トリオクタノイン                                  ２.００
６    オクチルドデカノール                              ０.６０
７    セテス−２０                                      ０.５０
８    リン酸二アンモニウム                              ０.２０
９    安息香酸Ｎａ                                      ０.１５
１０  臭素酸Ｎａ                                        ８.００
１１  精製水                                    合計で１００となる量
−−−−−−−−−−−−−−−−−−−−−−−−−−−−−−−−−−−−−
（調製方法）
Ｎｏ．１〜７を加え、約７０℃に加温し、溶解させた（Ａ部）。別容器にＮｏ．１１の大部分をとり、約７０℃に加温し、Ｎｏ．８、９を加え溶解させた（Ｂ部）。別容器にＮｏ．１１の残りをとり、約６０℃に加温し、Ｎｏ．１０を加え溶解させた（Ｃ部）。約７０℃でＡ部にＢ部を加え、粘度が高くなるまで攪拌した。６０℃まで冷却し、攪拌しながらＣ部を加え均一に混合した。温度が約５０℃まで低下した後、急冷した。
【００９１】
実施例３３  毛髪脱色剤（２剤式）
実施例４で得られた化合物Ｄを用いて、下記処方の毛髪脱色剤（２剤式）を調製した。この毛髪脱色剤（２剤式）は、毛髪に施術することにより、脱色後の毛髪の損傷感を低減し、毛髪に柔軟性、しっとり感、すべり感等の良好な感触を付与できる脱色剤であった。
（１剤）
成        分                          配合量（重量％）
−−−−−−−−−−−−−−−−−−−−−−−−−−−−−−−−−
１    実施例２のオリゴマーエステル                  ０.５０
２    ポリオキシエチレンオレイルエーテル    
５２.００
３    アンモニア水（２５％）                
２５.５０
４    セトリモニウムクロリド（３０％）      
１０.００
５    エタノール                            
１０.００
６    精製水                                合計で１００となる量
−−−−−−−−−−−−−−−−−−−−−−−−−−−−−−−−−
（調製方法）
各成分を均一に攪拌、混合した。
（２剤）
成        分                          配合量（重量％）
−−−−−−−−−−−−−−−−−−−−−−−−−−−−−−−−−
１    過酸化水素水                                １７.００
２    セトリモニウムクロリド（３０％）            １０.００
３    セタノール                                    ３.００
４    セテス−２                                    １.００
５    セテス−２０                                  １.００
６    ピロリン酸Ｎａ                                ０.１０
７    ジエチレントリアミン五酢酸                    ０.１０
８    クエン酸（５０％）                              適量
９    精製水                                合計で１００となる量
−−−−−−−−−−−−−−−−−−−−−−−−−−−−−−−−−
（調製方法）
各成分を均一に混合し、クエン酸でｐＨを３．５〜４．０に調整した。
（配合比）
１剤：２剤＝１：７
【００９２】
実施例３４  酸化染毛剤
下記処方の酸化染毛剤を調製した。この酸化染毛剤は、毛髪に施術することにより、染毛後の毛髪の損傷感を低減し、毛髪に柔軟性、しっとり感、すべり感等の良好な感触を付与できる酸化染毛剤であった。
（１剤）
成        分                          配合量（重量％）
−−−−−−−−−−−−−−−−−−−−−−−−−−−−−−−−−
１    実施例１のオリゴマーエステル                  ０.５０
２    セトリニウムクロリド（２５％）    
２４.００
３    セタノール                                    ９.００
４    オクチルドデカノール                          ９.００
５    モノエタノールアミン                          ３.８０
６    アンモニア水                                  ２.００
７    ミリスチル硫酸Ｎａ                            １.５０
８    オレス−２０                                  １.４０
９    塩酸トルエン−２、５−ジアミン                １.００
１０  レゾルシン                                    １.００
１１  メタアミノフェノール                          ０.５０
１２  パラアミノフェノール                          ０.２０
１３  オルトアミノフェノール                        ０.１０
１４  アスコルビン酸                                ０.２０
１５  香料                                          ０.１０
１６  精製水                                合計で１００となる量
−−−−−−−−−−−−−−−−−−−−−−−−−−−−−−−−−
（調製方法）
各成分を均一に混合した。
（２剤）
成        分                          配合量（重量％）
−−−−−−−−−−−−−−−−−−−−−−−−−−−−−−−−−
１    過酸化水素水                                １７.００
２    セトリニウムクロリド（３０％）              １０.００
３    セタノール                                    ３.００
４    セテス−２                                    １.００
５    セテス−２０                                  １.００
６    ピロリン酸Ｎａ                                ０.１０
７    ジエチレントリアミン五酢酸                    ０.１０
８    クエン酸（５０％）                              適量
９    精製水                                合計で１００となる量
−−−−−−−−−−−−−−−−−−−−−−−−−−−−−−−−−
（調製方法）
各成分を均一に混合し、クエン酸でｐＨを３．５〜４．０に調整した。
（配合比）
１剤：２剤＝１：１
【００９３】
実施例３５  カール剤
下記処方のカール剤を製造した。このように製造したカール剤１液、２液を毛髪に用いることにより、良好な柔軟性、すべり感、しっとりとした風合い、良好な仕上がり感でカールさせることが出来た。
（１液）
成        分                          配合量（重量％）
−−−−−−−−−−−−−−−−−−−−−−−−−−−−−−−−−−  
１    システアミン塩酸塩                                ２.００
２    ＤＬシステイン                                    ０.４０
３    モノエタノールアミン                              ０.９０
４    アンモニア水（２８％）                            ０.５０
５    ＰＯＥ２０ヤシ油脂肪酸ソルビタン                  ０.５０
６    香料                                              ０.１０
７    塩化ジアリルアンモニウム・アクリル酸共重合体      １.００
８    エマコールＶＴ−２０（山栄化学）                  ３.００
９    オレス−２０                                      ０.５０
１０  オレス−５０                                      ０.２０
１１  実施例１のオリゴマーエステル                      ０.５０
１２  ラノリン脂肪酸オクチルドデシル（日本精化）        ０.３０
１３  ソルビタンモノステアレート                        ０.２０
１４  エデト酸四ナトリウム四水塩                        ０.１０
１５  リン酸アンモニウム                                ０.５０
１６  精製水                                    合計で１００となる量
−−−−−−−−−−−−−−−−−−−−−−−−−−−−−−−−−−
（調製方法）
Ｎｏ．１６の一部（２０％分）にＮｏ．１〜３を加えて溶かし、予め別の容器でＮｏ．１６の一部（１０％分）にＮｏ．１４、１５を加えて溶かしたものを、約４０℃で加えて均一に溶解させた（Ａ部）。別の容器でＮｏ．１６の残りを約７５℃に加温した（Ｂ部）。別の容器にＮｏ．８〜１３を取り、約７５℃に加温して溶解させた（Ｃ部）。Ｃ部にＢ部を加えて乳化させよく攪拌混合した後、４０℃まで冷却してＡ部を加えて均一に攪拌した。次にＮｏ．７を加えて攪拌し、次いでＮｏ．５、６を加え、更にＮｏ．４を加えて均一に攪拌混合し、ｐＨ９．０〜９．５に調整することにより、目的のカール剤１液を得た。
（２液）
成        分                            配合量（重量％）
−−−−−−−−−−−−−−−−−−−−−−−−−−−−−−−−−−−  
１    ＥＤＴＡ−２Ｎａ                              ０.１０
２    臭素酸Ｎａ                                    ４.００
３    リン酸アンモニウム                            ０.５０
４    カチオンＮＨ（日本精化）                      ２.００
５    セトリニウムクロリド（３０％）                １.００
６    オレス−５０                                  ０.２０
７    ジメチコンコポリオール                        ０.５０
８    安息香酸Ｎａ                                  ０.１５
９    精製水                                合計で１００となる量
−−−−−−−−−−−−−−−−−−−−−−−−−−−−−−−−−−−
（調製方法）
Ｎｏ．４〜７を約８０℃に加温し溶解させた（Ａ部）。別の容器にＮｏ．９の一部(７０％)とＮｏ．１、８を加え、約８０℃に加温し溶解させた（Ｂ部）。さらに別の容器にＮｏ．９の残りとＮｏ．２、３を加え、約５０℃に加温し溶解させた（Ｃ部）。Ａ部にＢ部を加えて均一に混合攪拌し乳化させた後、４０℃になったらＣ部を加えてよく混合し、室温にてｐＨ６．５〜６．８に調整することにより、目的のカール剤２液を得た。
【００９４】
実施例３６  ヘアクリーム
下記処方のヘアクリームを調製した。このヘアクリームは、艶があり、べたつかず、毛髪の水分を保ち、つるっとした感触を付与することができるものであった。
成        分                          配合量（重量％）
−−−−−−−−−−−−−−−−−−−−−−−−−−−−−−−−−
１    実施例２のオリゴマーエステル                ２.００
２    セタノール                                  ４.００
３    ジメチコン（５００ｃｓ）      
１３.００
４    ステアリン酸グリセリル                      ２.８０
５    オレス−１０リン酸                          ０.８０
６    ステアリン酸グリセリル（ＳＥ）              １.６０
７    フェノキシエタノール                        ０.４０
８    メチルパラベン                              ０.２０
９    １０％ＮａＯＨ                              ０.６０
１０  精製水                              合計で１００となる量
−−−−−−−−−−−−−−−−−−−−−−−−−−−−−−−−−
（調製方法）
Ｎｏ．１〜６を約８０℃に加温し、溶解させた（Ａ部）。別容器にＮｏ．７〜１０を加え、約８０℃に加温し、溶解させた（Ｂ部）。Ａ部にＢ部を加え撹拌混合した。
【００９５】
実施例３７  エモリエントクリーム
下記処方のエモリエントクリームを調製した。このエモリエントクリームは、しっとり感を付与する効果に優れるクリームであった。
成        分                          配合量（重量％）
−−−−−−−−−−−−−−−−−−−−−−−−−−−−−−−−−
１    実施例１のオリゴマーエステル                  １.２０
２    オクタン酸セチル                              ６.６０
３    水添パーム油                                  ４.２０
４    ステアリン酸グリセリル（ＳＥ）                ２.２０
５    イソステアリン酸ＰＥＧ−６０グリセリル        １.９０
６    ステアリン酸ＰＧ（ＳＥ）                      ０.６０
７    ステアリルアルコール                          ０.６０
８    ジメチコン（１０ｃｓ）                        １.８０
９    エチルパラベン                                ０.１０
１０  ＢＧ                                          ３.００
１１  グリセリン                                    １.００
１２  フェノキシエタノール                          ０.２０
１３  メチルパラベン                                ０.１５
１４  精製水                                合計で１００となる量
−−−−−−−−−−−−−−−−−−−−−−−−−−−−−−−−−
（調製方法）
Ｎｏ．１〜９を約７０℃に加温し、均一に溶解させた（Ａ部）。次にＮｏ．１０〜１４を約７０℃に加温し、均一に溶解させた（Ｂ部）。Ａ部にＢ部を撹拌しながら加え、乳化させた後、冷却した。
【００９６】
実施例３８  マッサージクリーム
下記処方のマッサージクリームを調製した。このマッサージクリームは、マッサージ効果が高く、しっとり感を付与する効果に優れるクリームであった。
成        分                          配合量（重量％）
−−−−−−−−−−−−−−−−−−−−−−−−−−−−−−−−−
１    実施例１のオリゴマーエステル                  ４.００
２    マカデミアナッツ脂肪酸フィトステリル          ８.００
３    ステアリン酸グリセリル（ＳＥ）                ２.００
４    ポリソルベート６０                            １.８０
５    ステアリン酸ソルビタン                        １.００
６    ステアリン酸ポリグリセリル−１０              ０.５０
７    コレステロール                                ０.２０
８    ジメチコン（１０ｃｓ）                        １.００
９    ミリスチルアルコール                          １.００
１０  ステアリン酸                                  １.００
１１  ステアリルアルコール                          ０.５０
１２  ベヘニルアルコール                            ０.５０
１３  水添パーム油                                  ９.００
１４  トコフェロール                                ０.１０
１５  パルミチン酸イソステアリル                    ２.００
１６  オクタン酸セチル                            １５.００
１７  エチルパラベン                                ０.２０
１８  フェノキシエタノール                          ０.２０
１９  メチルパラベン                                ０.１０
２０  ＢＧ              
１０.００
２１  グリセリン                                    ３.００
２２  精製水                                合計で１００となる量
−−−−−−−−−−−−−−−−−−−−−−−−−−−−−−−−−
（調製方法）
Ｎｏ．１〜１７を約７０℃に加温し、均一に溶解させた（Ａ部）。次にＮｏ．１８〜２２を約７０℃に加温し、均一に溶解させた（Ｂ部）。Ａ部にＢ部を撹拌しながら加え、乳化させた後、冷却した。
【００９７】
実施例３９  リップグロス
下記処方のリップグロスを調製した。このリップグロスは、艶があり、みずみずしく、密着性の高いものであった。
成        分                          配合量（重量％）
−−−−−−−−−−−−−−−−−−−−−−−−−−−−−−−−−
１    実施例１のオリゴマーエステル                  ７.７０
２    ＬＵＳＰＬＡＮ  ＤＤ−ＤＡ７（日本精化）
１７.００
３    オクタン酸セチル                        
３３.００
４    パルミチン酸デキストリン                      ７.００
５    マイカ                                        ９.００
６    硫酸Ｂａ                                    ２５.００
７    赤１０４（１）                                ０.５０
８    黄２０３                                      ０.８０
−−−−−−−−−−−−−−−−−−−−−−−−−−−−−−−−−
（調製方法）
Ｎｏ．４をＮｏ．３の一部に加え、約１００〜１１０℃に加温し、均一に溶解させた（Ａ部）。次にＮｏ．１、２、残余のＮｏ．３、Ｎｏ．５〜８を加え、ロールミルで混合した（Ｂ部）。Ａ部とＢ部を加え、約６０℃に加温し、均一に撹拌混合した後、型に充填し急冷した。
【００９８】
実施例４０  リキッドファンデーション
下記処方のリキッドファンデーションを調製した。このリキッドファンデーションは、使用感、肌への密着性に優れるものであった。
成        分                          配合量（重量％）
−−−−−−−−−−−−−−−−−−−−−−−−−−−−−−−−−
１    実施例１のオリゴマーエステル                  ５.００
２    ステアリン酸グリセリル（ＳＥ）                １.００
３    ステアリン酸ＰＧ（ＳＥ）                      １.００
４    オクタン酸セチル                              ６.００
５    トコフェロール                                ０.１０
６    プロピルパラベン                              ０.１０
７    酸化チタン・酸化鉄混合物                  
１８.００
（東色ピグメント（株）製  ＦＤＰ−Ｗ−００７）
８    マイカ                                        ７.００
９    トリメチルシロキシケイ酸                      ３.００
１０  シクロメチコン                                ７.００
１１  フェニルメチコン                              ５.００
１２  セルロースガム                                ０.１０
１３  キサンタンガム                                ０.２０
１４  ＢＧ                                          ５.００
１５  メチルパラベン                                ０.２０
１６  精製水                                合計で１００となる量
−−−−−−−−−−−−−−−−−−−−−−−−−−−−−−−−−
（調製方法）
Ｎｏ．１２を一部のＮｏ．１６に加え、撹拌して粘性の液とした（Ａ部）。Ｎｏ．１３を一部のＮｏ．１６に加え、撹拌して粘性の液とした（Ｂ部）。次にＮｏ．１〜６、９〜１１を加え約７０℃に加温し、溶解させた（Ｃ部）。Ｎｏ．７、８、１４、１５、残余のＮｏ．１６を約７０℃に加温し、溶解させた（Ｄ部）。Ｃ部にＤ部を撹拌しながら加え、乳化させた後、約５０℃まで冷却し、Ａ部、Ｂ部を加え均一になるまで撹拌した。
【００９９】
実施例４１  アンチエイジングクリーム
下記処方のアンチエイジングクリームを調製した。このクリームは、伸びがよく、しっとり感を付与する効果に優れるクリームであった。
成        分                              配合量（重量％）
−−−−−−−−−−−−−−−−−−−−−−−−−−−−−−−−−−−
Ａ
実施例１のオリゴマーエステル                  
１０.００
オクタン酸セチル                                      ７.００
イソステアリン酸バチル                                ２.００
イソステアリン酸ＰＥＧ−６０グリセリル                １.５０
水添パーム油                                          ３.７０
セラミド２                                            ０.１０
レチノール                                            ０.１０
油溶性カミツレエキス                                  ０.１０
エチルパラベン                                        ０.２０
ステアリルアルコール                                  ３.５０
ステアリン酸グリセリル（ＳＥ）                        １.００
ステアレス−６                                        １.５０
ジステアリン酸ＰＥＧ−８                              １.００
セタノール                                            １.００
ジメチコン                                            １.００
セチルジメチコンコポリオール                          ０.５０
トコフェロール                                        ０.２０
Ｂ
西河柳エキス                                          ０.０５
Ｃ
アルブチン                                            ０.５０
アスコルビン酸２−Ｏ−グルコシド                      ０.５０
ＥＤＴＡ−３Ｎａ                                      ０.１０
ポリグルタミン酸（一丸ファルコス、バイオＰＧＡ溶液）  ０.１０
（エイコサン二酸／テトラデカン二酸）ポリグリセリル
−１０エステルズ                                      １.００
グリセリン                                            ４.００
亜硫酸水素Ｎａ                                        ０.０５
メチルパラベン                                        ０.１０
フェノキシエタノール                                  ０.１０
ＢＧ                                                  ６.００
水酸化Ｋ                                                適量
精製水                                        合計で１００となる量
−−−−−−−−−−−−−−−−−−−−−−−−−−−−−−−−−−−
（製造方法）
Ａを約８０℃に加温し、均一に溶解させた（Ａ部）。Ｃを約８０℃に加温し、溶解させた（Ｃ部）。約８０℃でホモミキサーにて攪拌しながら、Ａ部にＣ部を徐々に加え、乳化後均一に混合し、約４０℃まで冷却し、Ｂを加え、均一に混合した。
【０１００】
実施例４２  育毛剤
下記処方の育毛剤を調製した。この育毛剤は、脱毛、ふけ、かゆみを防止できるものであった。
成        分                              配合量（重量％）
−−−−−−−−−−−−−−−−−−−−−−−−−−−−−−−−−−−
実施例１のオリゴマーエステル                          ０.０５
セバチン酸ジエチル                                    ０.４５
メントール                                            ０.１０
トウガラシチンキ                                      ０.５０
センブリエキス                                        ２.００
エタノール                                          ３０.００
防腐剤                                                  適量
香料                                                    適量
ＰＰＧ−６デシルテトラデセス−３０                    ０.３０
精製水                                        合計で１００となる量
−−−−−−−−−−−−−−−−−−−−−−−−−−−−−−−−−−−
（製造方法）
各成分を均一に撹拌混合した。
【０１０１】
実施例４３  浴用剤（バブルバス）
下記処方の浴用剤を調製した。この浴用剤は、肌をしっとりさせ、肌のつやをよくする等の効果を持つものであった。
成        分                            配合量（重量％）
−−−−−−−−−−−−−−−−−−−−−−−−−−−−−−−−−
Ａ
（Ｃ１２、１３）パレス−３硫酸Ｎａ                    ５.００
コカミドＤＥＡ                                        ２.００
スルホコハク酸（Ｃ１２−１４）パレス−２Ｎａ          ２.００
ＢＧ                                                  ２.００
実施例２のオリゴマーエステル                          １.００
トリイソステアリン酸ＰＥＧ−２０グリセリル            １.００
Ｂ
クエン酸                                              ０.０５
安息香酸Ｎａ                                          ０.２０
青色１号                                                微量
黄色４号                                                微量
Ｃ
精製水                                        合計で１００となる量
−−−−−−−−−−−−−−−−−−−−−−−−−−−−−−−−−
（製造方法）
Ａを一部のＣに溶解し、均一にする。残余のＣ及びＢを加えてよく混練する。
【０１０２】
実施例４４  ヘアワックス
下記処方のヘアワックスを調製した。このヘアワックスは、毛髪に塗布すると、艶があり、べたつかず、動いてもばらけず、密着性が高いため毛束感があり、ヘアスタイルの持続性に優れるものであった。
成        分                          配合量（重量％）
−−−−−−−−−−−−−−−−−−−−−−−−−−−−−−−−−
１    実施例２のオリゴマーエステル                    ４.００
２    キャンデリラロウ                                ２.００
３    セタノール                                      ８.００
４    ミネラルオイル                            
１８.００
５    トリオクタノイン                                ４.００
６    マイクロクリスタリンワックス                    ２.００
７    セバシン酸ジエチル                              ２.００
８    ジメチコン（１００ｃｓ）                        ２.００
９    ラウレス−２                                    ２.００
１０  ステアリン酸グリセリル                          ３.００
１１  ＰＥＧ−４０水添ひまし油                        ２.００
１２  ジイソステアリン酸ポリグリセリル−３            ２.００
１３  グリセリン                                      ６.００
１４  ＢＧ                                            ４.００
１５  フェノキシエタノール                            ０.６０
１６  メチルパラベン                                  ０.２０
１７  アルコックスＥ−２４０（明成化学工業）          ０.２０
１８  精製水                                  合計で１００となる量
−−−−−−−−−−−−−−−−−−−−−−−−−−−−−−−−−
（調製方法）
Ｎｏ．１〜１４を約８０℃に加温し、溶解させた（Ａ部）。次にＮｏ．１５〜１８を約８０℃に加温し溶解させた（Ｂ部）。Ａ部にＢ部を攪拌しながら、徐々に加え均一に溶解させた。
【０１０３】
実施例４５  液体洗顔料
下記処方の液体洗顔料を調製した。この液体洗顔料は、皮膚にしっとり感、つるっとしたすべり感を付与することができるものであった。
成        分                          配合量（重量％）
−−−−−−−−−−−−−−−−−−−−−−−−−−−−−−−−−
１    ラウロイルサルコシンＮａ                
１２.００
２    ミリストイルメチルタウリンＮａ                ２.００
３    イセチオン酸Ｎａ                              １.００
４    ラウリン酸ポリグリセリル−６                  ２.００
５    コカミドＤＥＡ                                ２.００
６    ソルビトール                                  ８.００
７    ＰＥＧ−３０                                  ４.００
８    ＢＧ                                          ８.００
９    実施例１のオリゴマーエステル                  ２.００
１０  グリセリン                                    ５.００
１１  フェノキシエタノール                          ０.８０
１２  （ＨＥＭＡグルコシド／メタクリル酸エチルトリモニウムクロリド）
コポリマー（１０％）（日本精化）              １.００
１３  精製水                                合計で１００となる量
−−−−−−−−−−−−−−−−−−−−−−−−−−−−−−−−−
（製造方法）
Ｎｏ．３、１０を約８０℃に加温し溶解させた（Ａ部）。Ａ部にＮｏ．１、２、４〜９、１１〜１３を加え、約８０℃に加温し均一溶解させた後冷却した。
【０１０４】
実施例４６  ボディーシャンプー
下記処方のボディーシャンプーを調製した。このボディーシャンプーは、皮膚にしっとり感、つるっとしたすべり感を付与することができるものであった。
成        分                          配合量（重量％）
−−−−−−−−−−−−−−−−−−−−−−−−−−−−−−−−−
１    （ＨＥＭＡグルコシド／メタクリル酸エチルトリモニウムクロリド）
コポリマー（１０％）（日本精化）              ２.００
２    ココイルメチルタウリンＮａ                  １０.００
３    ラウロイル加水分解シルクＮａ                  ６.００
４    ラウロイルメチルアラニンＮａ                １０.００
５    ココアンホ酢酸Ｎａ（３０％）                  ４.００
６    コカミドプロピルベタイン（３０％）      
１０.００
７    コカミドＤＥＡ                                ３.００
８    実施例１のオリゴマーエステル                  ３.００
９    ＢＧ                                          ５.００
１０  メチルパラベン                                ０.２０
１１  精製水                                合計で１００となる量
−−−−−−−−−−−−−−−−−−−−−−−−−−−−−−−−−
（製造方法）
Ｎｏ．１及び一部のNo. １１を約８０℃で加温して均一に混合した（Ａ部）。 Ｎｏ．２〜Ｎｏ．１０、残りの１１を約８０℃で加温して均一に混合した（Ｂ部）。攪拌しながら、Ｂ部にＡ部を徐々に加えて均一に混合した。
【０１０５】
実施例４７  石鹸
下記処方の石鹸を調製した。この石鹸は、皮膚にしっとり感、つるっとしたすべり感を付与することができるものであった。
成        分                            配合量（重量％）
−−−−−−−−−−−−−−−−−−−−−−−−−−−−−−−−−
石ケン素地                                合計で１００となる量
ラウリン酸                                        ５.００  
ＢＧ                                              ３.００  
実施例１のオリゴマーエステル                      ５.００
Ｐｌａｎｄｏｏｌ−Ｈ（日本精化）                  ０.０５
酸化チタン                                        １.００  
エチドロン酸                                      ０.１０  
エデト酸塩                                        ０.１０
黄色２０５号                                        微量
−−−−−−−−−−−−−−−−−−−−−−−−−−−−−−−−−
（製造方法）
全成分を８０℃に加温溶解し、撹拌しながら冷却し、型に流し込み、放置する。
【０１０６】
実施例４８  洗顔料
下記処方の洗顔料を調製した。この洗顔料は、皮膚にしっとり感、つるっとしたすべり感を付与することができるものであった。
成        分                          配合量（重量％）
−−−−−−−−−−−−−−−−−−−−−−−−−−−−−−−−−
Ａ
実施例１のオリゴマーエステル                        ０.５０
Ｐｌａｎｄｏｏｌ−Ｈ（日本精化）                    ０.２０  
ホホバ油                                            ０.１０  
スクワラン                                          ０.１０  
コカミドＤＥＡ                                      ２.００  
ラウラミドＤＥＡ                                    ３.００  
トコフェロール                                      ０.２０  
プロピルパラベン                                    ０.１０  
Ｂ
ジステアリン酸グリコール                            １.００  
ラウロイルメチルアラニンＮａ（３０％）            １０.００
ヤシ脂肪酸Ｋ、ミリスチン酸Ｋ（４０％）        
４０.００  
ＢＧ                                                ３.５０  
１，５−ペンタンジオール                            ０.５０  
１，２−ヘキサンジオール                            ０.３０  
ＰＥＧ−２０                                        ５.００  
ＰＥＧ−４００                                      ５.００  
クエン酸                                            ０.５０  
メチルパラベン                                      ０.２０  
セテアレス−６０ミリスチルグリコール                ２.００  
精製水                                      合計で１００となる量
−−−−−−−−−−−−−−−−−−−−−−−−−−−−−−−−−
（製造方法）
Ａを約８０℃に加温し溶解させた。Ｂを約８０℃に加温し溶解させた。ＡにＢを攪拌しながら加え、乳化した後、約４０℃まで冷却した。
【０１０７】
実施例４９  ヘアフォーム
下記処方のヘアフォームを調製した。このヘアフォームは、良好な使用感と軽い自然なセット性があり、髪につやとうるおいを付与する等の感触向上が得られる。
成        分                          配合量（重量％）
−−−−−−−−−−−−−−−−−−−−−−−−−−−−−−−−−
（原液処方）
Ａ
実施例１のオリゴマーエステル                        １.００
Ｐｌａｎｄｏｏｌ−Ｈ（日本精化）                    １.００
ＬＵＳＰＬＡＮ  ＤＤ−ＩＳ（日本精化）              １.００
水添ポリブテン                                      ０.２０
セタノール                                          １.５０
ミツロウ                                            １.００
オクテニルコハク酸トウモロコシデンプン              ０.２０
ジメチコン                                          ０.１０
ジメチコンポリオール                                ０.３０
ミリスチン酸                                        ２.００
トリエタノールアミン                                  適量
ＰＥＧ−水添ヒマシ油                                ０.２０
ＰＥＧ−ソルビタンココエート                        ０.２０
ベヘントリモニウムクロリド                          ０.２０
ＰＥＧ                                              ３.００
エタノール                                  
１５.００
フェノキシエタノール                                  適量
プロピルパラベン                                      適量
メチルパラベン                                        適量
精製水                                  合計で全量１００となる量
Ｂ
香料                                                ０.１０
（充填処方）
原液                                        
５０.００
ＬＰＧ                                      
５０.００
−−−−−−−−−−−−−−−−−−−−−−−−−−−−−−−−−
（調製方法）
Ａを常法に従い混合し、Ｂを添加した。この原液を缶に充填後、ガスを充填した。
【０１０８】
実施例５０  プレシェーブローション
下記処方のプレシェーブローションを調製した。このプレシェーブローションは、肌をつるつるとさせる効果が得られる。
成        分                          配合量（重量％）
−−−−−−−−−−−−−−−−−−−−−−−−−−−−−−−−−
Ａ
実施例１のオリゴマーエステル                      ０.１０
クエン酸                                          ０.０５
フェノールスルホン酸亜鉛                          ０.２０
ＰＥＧ−６０水添ヒマシ油                          ０.１０
グリチルリチン酸２Ｋ                              ０.０５
精製水                                    合計で１００となる量
Ｂ
エタノール          
３０.００
トコフェロール                                    ０.０１
メチルパラベン                                    ０.１５
−−−−−−−−−−−−−−−−−−−−−−−−−−−−−−−−−
（調製方法）
Ａ、Ｂ共に常温で溶解し、ＢをＡに攪拌しながら徐々に加え、均一にする。
【０１０９】
実施例５１  デオドラント（制汗剤）
下記処方のデオドラント（制汗剤）を調製した。このデオドラントは、肌をつるつるとさせる効果が得られる。
成        分                          配合量（重量％）
−−−−−−−−−−−−−−−−−−−−−−−−−−−−−−−−−
Ａ
実施例１のオリゴマーエステル                        ０.２０
精製水                                      合計で１００となる量
メチルパラベン                                      ０.１０
塩化Ｎａ                                            ０.０１
クエン酸                                            ０.０５
クエン酸Ｎａ                                        ０.０５
ラウレス−２１                                      ０.１０
塩化ベンザルコニウム                                ０.０５
クロルヒドロキシアルミニウム                        ０.２０
Ｂ
変性アルコール                                    ４０.００
プロピルパラベン                                    ０.５０
イソプロピルメチルフェノール                        ０.５０
−−−−−−−−−−−−−−−−−−−−−−−−−−−−−−−−−
（調製方法）
Ａ、Ｂ共に常温で溶解し、ＢをＡに攪拌しながら徐々に加え、均一にする。
【０１１０】
実施例５２  モイスチュアパック
下記処方のモイスチュアパックを調製した。このモイスチェアパックは、保湿効果を高め、肌を柔軟にし、しっとり感を与え優れた清浄作用が得られる。
成        分                          配合量（重量％）
−−−−−−−−−−−−−−−−−−−−−−−−−−−−−−−−−
Ａ
ポリビニルアルコール                          
１３.００
ＢＧ                                                ３.００
アルギン酸Ｋ                                        ０.５０
（スチレン／ビニルピロリドン）コポリマー            １.５０
Ｂ
Ｐｌａｎｄｏｏｌ−Ｇ（日本精化）                    ０.３０
実施例１のオリゴマーエステル                        ０.２０
ＰＣＡイソステアリン酸グリセレス−２５              １.５０
変性アルコール                                      ８.００
ＰＥＧ／ＰＰＧ−５／３０コポリマー                  １.００
オレス−１０リン酸ＤＥＡ                            １.００
グリチルリチン酸２Ｋ                                ０.０５
トコフェロール                                      ０.１０
メチルパラベン                                      ０.２０
ヒアルロン酸Ｎａ                                    ０.０５
塩化Ｎａ                                            ０.３０
精製水                                      合計で１００となる量
−−−−−−−−−−−−−−−−−−−−−−−−−−−−−−−−−
（調製方法）
Ａを５０℃で加温膨潤させる。ＢをＡに撹拌しながら徐々に加え、均一混和する。撹拌しながら冷却し、３０〜２５℃で撹拌を止め、放置する。
【０１１１】
実施例５３  クレンジングミルク
下記処方のクレンジングミルクを調製した。このクレンジングミルクは、溶解性に優れるため、ファンデーション、メイクアップ等の落ちがよく、さっぱりした感触を付与する等の効果が得られるものであった。
成        分                          配合量（重量％）
−−−−−−−−−−−−−−−−−−−−−−−−−−−−−−−−−
１    実施例１のオリゴマーエステル                ３.００
２    Ｎｅｏｓｏｌｕｅ−ＤＥ（日本精化）          ５.００
３    ステアリン酸                                ０.５０
４    ミネラルオイル                            ３２.００
５    セテス−２０                                ２.４０
６    トリセテス−５  リン酸                      ３.６０
７    ステアリン酸ＰＧ（ＳＥ）                    ３.００
８    プロピルパラベン                            ０.１０
９    ジメチコン                                １０.００
１０  カルボマー                                  ０.１０
１１  水酸化Ｋ                                    ０.０４
１２  ＥＤＴＡ−２Ｎａ                            ０.０５
１３  フェノキシエタノール                        ０.２０
１４  メチルパラベン                              ０.１０
１５  精製水                              合計で１００となる量
−−−−−−−−−−−−−−−−−−−−−−−−−−−−−−−−−
（調製方法）
Ｎｏ．１５の一部にＮｏ．１０を加えてよく攪拌した後、Ｎｏ．１１を加えて粘性の液とした（Ａ部）。Ｎｏ．１２〜１４、残余のＮｏ．１５を約７０℃に加温し、溶解させた（Ｂ部）。Ｎｏ．１〜９を約７０℃に加温し、溶解させた（Ｃ部）。Ｃ部に攪拌しながらＢ部を徐々に加えて乳化後、Ａ部を加えて攪拌しながら冷却した。
【産業上の利用可能性】
【０１１２】
本発明により、安全性が高く、水への溶解性、分散性に優れ、潤滑性の良いオリゴマーエステル、並びに、これらオリゴマーエステルを含有する安全性、潤滑性、冷却性の良い水系・水溶性潤滑組成物、及び、これらオリゴマーエステルを含有するべたつき感が抑制された化粧品又は皮膚外用剤を提供することができる。